(57)【要約】【課題】押し込み操作のストローク量を小さくして、操作性を向上し得るプッシュラッチ構造を提供する。【解決手段】バネアーム１３０の押圧部１３２による回動フック１６０の第１の領域ＡＲ１に対する押圧の結果に応じて、バネアーム１３０の押圧部１３２による回動フック１６０の押圧位置が、第１の領域ＡＲ１から第２の領域ＡＲ２へ切り替わるようにバネアーム１３０を付勢し、バネアーム１３０による回動フック１６０の第２の領域ＡＲ２に対する押圧の結果に応じて、バネアーム１３０の押圧部１３２による回動フック１６０の押圧位置が、第２の領域ＡＲ２から第１の領域ＡＲ１へ切り替わるようにバネアーム１３０を付勢する付勢手段１３５Ａ、１３５Ｂを備え、回動フック１６０の回動位置に応じて、フック部１６４により係止対象２１を係止又は係止解除する。【選択図】図３
2011080303.tif 000002
【特許請求の範囲】
【請求項１】
棒状体と、前記棒状体の第２の端部に設けられた曲折形状のフック部とを有し、前記棒状体の前記第２の端部と前記第２の端部に対して反対側の第１の端部との間に設けられた回動軸を回動中心として回動可能に支持された回動フックと、
第１の揺動位置及び第２の揺動位置の間を変位端が揺動変位可能に支持されたバネ部材と、前記バネ部材の変位端側に設けられた第１の押圧部とを有し、前記変位端が前記第１の揺動位置へ変位した状態で前記棒状体の前記回動軸と前記第１の端部との間の第１の領域を前記第１の押圧部によって押圧することにより、前記回動フックを第１の回動方向へ回動させると共に、前記変位端が前記第２の揺動位置へ変位した状態で前記棒状体の前記回動軸と前記第２の端部との間の第２の領域を前記第１の押圧部によって押圧することにより、前記回動フックを前記第１の回動方向とは反対の第２の回動方向へ回動させるバネアームと、
前記回動フックが前記第１の回動方向へ所定量回動した第１の状態で前記回動フックを所定の保持力をもってロックすると共に、前記回動フックが前記第２の回動方向へ所定量回動した第２の状態で前記回動フックを所定の保持力をもってロックするロック部と、
前記バネアームの前記第１の押圧部による前記第１の領域に対する押圧の結果に応じて、前記バネアームの前記第１の押圧部による前記回動フックの押圧位置が、前記第１の領域から前記第２の領域へ切り替わるように前記バネアームを付勢し、前記バネアームの前記第１の押圧部による前記第２の領域に対する押圧の結果に応じて、前記バネアームの前記第１の押圧部による前記回動フックの押圧位置が、前記第２の領域から前記第１の領域へ切り替わるように前記バネアームを付勢する付勢手段と、を備え、
前記回動フックの回動位置に応じて、前記フック部により係止対象を係止又は係止解除することを特徴とするプッシュラッチ構造。
【請求項２】
前記ロック部による前記回動フックの保持力は、前記付勢手段による付勢力よりも大きいことを特徴とする請求項１に記載のプッシュラッチ構造。
【請求項３】
前記バネ部材は、
前記棒状体の前記回動軸とは異なる第２の回動軸を回動中心として第１の回動方向又はこれとは反対の第２の回動方向へ回動可能に支持され、
前記バネアームは、
前記変位端が前記第１の回動方向へ所定量回動した状態で前記棒状体の前記第１の領域を前記第１の押圧部によって押圧することにより、前記回動フックを第１の回動方向へ回動させると共に、前記変位端が前記第２の回動方向へ所定量回動した状態で前記棒状体の前記第２の領域を前記第１の押圧部によって押圧することにより、前記回動フックを前記第１の回動方向とは反対の第２の回動方向へ回動させる
ことを特徴とする請求項１又は請求項２に記載のプッシュラッチ構造。
【請求項４】
前記付勢手段は、
前記回動フックに設けられた第２の押圧部と、
前記バネアームに設けられ、前記回動フックが前記第１の状態にあるとき、前記回動フックの前記第２の押圧部に押圧されて、前記バネアームの前記第１の押圧部による押圧位置を前記第１の領域から前記第２の領域へ切り替えるように付勢力を発生する第１の内バネと、
前記バネアームに設けられ、前記回動フックが前記第２の状態にあるとき、前記回動フックの前記第２の押圧部に押圧されて、前記バネアームの前記第１の押圧部による押圧位置を前記第２の領域から前記第１の領域へ切り替えるように付勢力を発生する第２の内バネと、
を備えることを特徴とする請求項１乃至請求項３のいずれかに記載のプッシュラッチ構造。
【請求項５】
前記付勢手段は、
前記バネアーム及び前記回動フックに支持され、前記回動フックが前記第１の状態にあるとき、前記バネアームの前記第１の押圧部による押圧位置を前記第１の領域から前記第２の領域へ切り替えるように第１の付勢力を発生し、前記回動フックが前記第２の状態にあるとき、前記バネアームの前記第１の押圧部による押圧位置を前記第２の領域から前記第１の領域へ切り替えるように第２の付勢力を発生する弾性体であることを特徴とする請求項１乃至請求項３のいずれかに記載のプッシュラッチ構造。
【請求項６】
前記弾性体は、コイルバネであり、前記バネアーム及び前記回動フックの回動位置に応じて、前記第１又は第２の付勢力を発生することを特徴とする請求項５に記載のプッシュラッチ構造。
【請求項７】
前記付勢手段は、
前記バネアームに支持される弾性体と、
前記回動フックに設けられ、前記回動フックの回動動作に応じて、前記弾性体を弾性変形させる第２の押圧部と、
を備え、前記回動フックが前記第１の状態にあるとき、前記第２の押圧部による前記弾性体の弾性変形により、前記バネアームの前記第１の押圧部による押圧位置が前記第１の領域から前記第２の領域へ切り替わるように第１の付勢力を発生し、
前記回動フックが前記第２の状態にあるとき、前記第２の押圧部による前記弾性体の弾性変形により、前記バネアームの前記第１の押圧部による押圧位置が前記第２の領域から前記第１の領域へ切り替わるように第２の付勢力を発生する
ことを特徴とする請求項１乃至請求項３のいずれかに記載のプッシュラッチ構造。
【請求項８】
前記弾性体は、第1及び第２の端部が対峙するＵ字形バネであり、
前記バネアームは、当該バネアームが揺動動作する際の揺動軸において前記バネアームと一体に回動する前記Ｕ字形バネの支持部を備え、
前記Ｕ字形バネの内側に前記支持部がはめ込まれ、
前記Ｕ字形バネの前記第１及び第２の端部の間に前記第２の押圧部が介挿され、
前記回動フックの回動動作に伴って、前記第２の押圧部が前記Ｕ字形バネの前記第１及び第２の端部のうちのいずれかを互いの離間方向に変位させ、当該変位により発生する前記Ｕ字形バネの弾性力によって、前記支持部を介して前記バネアームを揺動させる
ことを特徴とする請求項７に記載のプッシュラッチ構造。
【請求項９】
収納部に対して扉を開閉可能に支持する扉の開閉構造であって、
前記収納部に設けられたプッシュラッチ装置と、
前記扉に設けられ、前記プッシュラッチ装置に係止される係止部と、
前記収納部の開口端部と前記扉との間に介挿されるパッキンと、
を有し、
前記プッシュラッチ装置は、
棒状体と、前記棒状体の第２の端部に設けられた曲折形状のフック部とを有し、前記棒状体の前記第２の端部と前記第２の端部に対して反対側の第１の端部との間に設けられた回動軸を回動中心として回動可能に支持された回動フックと、  
第１の揺動位置及び第２の揺動位置の間を変位端が揺動変位可能に支持されたバネ部材と、前記バネ部材の前記変位端側に設けられた押圧部と、前記変位端側に設けられ前記扉の前記係止部に押圧される受け部とを有し、前記変位端が前記第１の揺動位置へ変位した状態で、前記係止部の押圧により前記棒状体の前記回動軸と前記第１の端部との間の第１の領域を前記押圧部によって押圧し、前記回動フックを第１の回動方向へ回動させると共に、前記変位端が前記第２の揺動位置へ変位した状態で、前記係止部の押圧により前記棒状体の前記回動軸と前記第２の端部との間の第２の領域を前記押圧部によって押圧し、前記回動フックを前記第１の回動方向とは反対の第２の回動方向へ回動させるバネアームと、
前記回動フックが前記第１の回動方向へ所定量回動した第１の状態で前記回動フックを所定の保持力をもってロックすると共に、前記回動フックが前記第２の回動方向へ所定量回動した第２の状態で前記回動フックを所定の保持力をもってロックするロック部と、
前記バネアームの前記押圧部による前記第１の領域に対する押圧の結果に応じて、前記バネアームの前記押圧部による前記回動フックの押圧位置が、前記第１の領域から前記第２の領域へ切り替わるように前記バネアームを付勢し、前記バネアームの前記押圧部によるによる前記第２の領域に対する押圧の結果に応じて、前記バネアームの前記押圧部による前記回動フックの押圧位置が、前記第２の領域から前記第１の領域へ切り替わるように前記バネアームを付勢する第１の付勢手段と、を備え、
前記回動フックの回動位置に応じて、前記フック部により前記扉の係止部を係止又は係止解除することを特徴とする扉の開閉構造。
【請求項１０】
前記扉を開放する方向に付勢する第２の付勢手段を備えることを特徴とする請求項９に記載の扉の開閉構造。
【請求項１１】
収納部に対して扉を開閉可能に支持する扉の開閉構造に用いられるプッシュラッチ装置であって、
棒状体と、前記棒状体の第２の端部に設けられた曲折形状のフック部とを有し、前記棒状体の前記第２の端部と前記第２の端部に対して反対側の第１の端部との間に設けられた回動軸を回動中心として回動可能に支持された回動フックと、  
第１の揺動位置及び第２の揺動位置の間を変位端が揺動変位可能に支持されたバネ部材と、前記バネ部材の前記変位端側に設けられた押圧部と、前記変位端側に設けられ前記扉に設けられた係止部に押圧される受け部とを有し、前記変位端が前記第１の揺動位置へ変位した状態で、前記係止部の押圧により前記棒状体の前記回動軸と前記第１の端部との間の第１の領域を前記押圧部によって押圧し、前記回動フックを第１の回動方向へ回動させると共に、前記変位端が前記第２の揺動位置へ変位した状態で、前記係止部の押圧により前記棒状体の前記回動軸と前記第２の端部との間の第２の領域を前記押圧部によって押圧し、前記回動フックを前記第１の回動方向とは反対の第２の回動方向へ回動させるバネアームと、
前記回動フックが前記第１の回動方向へ所定量回動した第１の状態で前記回動フックを所定の保持力をもってロックすると共に、前記回動フックが前記第２の回動方向へ所定量回動した第２の状態で前記回動フックを所定の保持力をもってロックするロック部と、
前記バネアームの前記押圧部による前記第１の領域に対する押圧の結果に応じて、前記バネアームの前記押圧部による前記回動フックの押圧位置が、前記第１の領域から前記第２の領域へ切り替わるように前記バネアームを付勢し、前記バネアームの前記押圧部による前記第２の領域に対する押圧の結果に応じて、前記バネアームの前記押圧部による前記回動フックの押圧位置が、前記第２の領域から前記第１の領域へ切り替わるように前記バネアームを付勢する付勢手段と、を備え、
前記回動フックの回動位置に応じて、前記フック部により前記扉の係止部を係止又は係止解除することを特徴とする扉の開閉構造に用いられるプッシュラッチ装置。
【発明の詳細な説明】
【技術分野】
【０００１】
本発明は、例えば、扉を閉扉状態に係止すると共に、係止状態を解除して開扉状態とするプッシュラッチ構造、扉の開閉構造及び扉の開閉構造に用いられるプッシュラッチ装置に関する。
【背景技術】
【０００２】
従来、自動車のセンターコンソール等の収納部に設けられた扉又はプリンタ等の電子機器の扉を開閉するための開閉構造として、１回のプッシュ操作で開扉状態から閉扉状態に移行し、１回のプッシュ操作で閉扉状態から開扉状態へ移行するいわゆるプッシュラッチを用いたものが考えられている（特許文献１〜特許文献４参照）。
これらの開閉構造においては、扉を所定量押し込む操作によって、当該扉を閉扉状態又は開扉状態とすることができる。
【先行技術文献】
【特許文献】
【０００３】
【特許文献１】実開平７−１４０６１号公報
【特許文献２】特開２００４−９２３４０号公報
【特許文献３】特開２００６−１７７０８７号公報
【特許文献４】特開２００８−２５５５６６号公報
【発明の概要】
【発明が解決しようとする課題】
【０００４】
ところで、扉を設けた収納部として、食器等を収納する戸棚がある。戸棚の扉は、戸棚を構成する収納部本体に対して、蝶番により回動可能に取り付けられており、蝶番を回動中心として扉を回動させることにより、閉扉状態又は開扉状態とするようになっている。
【０００５】
戸棚等においては、収納部の開口端部とこれに当接する扉との間にパッキンを介挿させることで、扉が閉じた状態において、パッキンにより収納部の開口端部と扉との間を密閉することができ、収納部内に虫等が入り込むことを防止するようになっている。
【０００６】
このような従来の戸棚においては、扉を閉じる方向へ付勢するばねを蝶番に取り付けることにより、扉が閉じるようになっており、この付勢力に抗して扉を開ける必要があり、扉を開けるために一定の力が必要となる。
【０００７】
この問題点を解決するための一つの方策として、戸棚等の扉の開閉構造に上述のプッシュラッチを用いる構成が考えられる。プッシュラッチを用いれば、扉を押す操作だけで扉を容易に開くことができると考えられる。
【０００８】
しかしながら、開口端部と扉との間にパッキンを介挿した開閉構造においてプッシュラッチを用いる場合、パッキンに対して扉を押し込む操作が必要になることにより、パッキンが介挿されている分、扉を押し込むために大きな操作力が必要となり、操作性が悪くなる問題があった。
【０００９】
また、パッキンを用いない家具等の扉の開閉構造において、プッシュラッチのストローク量を小さくしてソフトタッチで扉の開閉を行うことができれば、一段と操作性を向上し得ると考えられる。
【００１０】
そこで、本発明は、押し込み操作のストローク量を小さくして、操作性を向上し得るプッシュラッチ構造、扉の開閉構造及び扉の開閉構造に用いられるプッシュラッチ装置を提供することを目的とする。
【課題を解決するための手段】
【００１１】
本発明の実施の形態に係る特徴は、プッシュラッチ構造において、棒状体と、前記棒状体の第２の端部に設けられた曲折形状のフック部とを有し、前記棒状体の前記第２の端部と前記第２の端部に対して反対側の第１の端部との間に設けられた回動軸を回動中心として回動可能に支持された回動フックと、第１の揺動位置及び第２の揺動位置の間を変位端が揺動変位可能に支持されたバネ部材と、前記バネ部材の変位端側に設けられた第１の押圧部とを有し、前記変位端が前記第１の揺動位置へ変位した状態で前記棒状体の前記回動軸と前記第１の端部との間の第１の領域を前記第１の押圧部によって押圧することにより、前記回動フックを第１の回動方向へ回動させると共に、前記変位端が前記第２の揺動位置へ変位した状態で前記棒状体の前記回動軸と前記第２の端部との間の第２の領域を前記第１の押圧部によって押圧することにより、前記回動フックを前記第１の回動方向とは反対の第２の回動方向へ回動させるバネアームと、前記回動フックが前記第１の回動方向へ所定量回動した第１の状態で前記回動フックを所定の保持力をもってロックすると共に、前記回動フックが前記第２の回動方向へ所定量回動した第２の状態で前記回動フックを所定の保持力をもってロックするロック部と、前記バネアームの前記第１の押圧部による前記第１の領域に対する押圧の結果に応じて、前記バネアームの前記第１の押圧部による前記回動フックの押圧位置が、前記第１の領域から前記第２の領域へ切り替わるように前記バネアームを付勢し、前記バネアームの前記第１の押圧部による前記第２の領域に対する押圧の結果に応じて、前記バネアームの前記第１の押圧部による前記回動フックの押圧位置が、前記第２の領域から前記第１の領域へ切り替わるように前記バネアームを付勢する付勢手段と、を備え、前記回動フックの回動位置に応じて、前記フック部により係止対象を係止又は係止解除することである。
【００１２】
この構成によれば、付勢手段の付勢力によって第１の押圧部を第１の揺動位置及び第２の揺動位置の間で変位させ、係止対象を係止状態又は係止解除状態とすることにより、押し込み操作のストローク量を小さくし操作性を向上させることができる。
【００１３】
本発明の実施の形態に係る特徴は、前記構成において、前記ロック部による前記回動フックの保持力は、前記付勢手段による付勢力よりも大きいことである。
【００１４】
この構成によれば、回動フックの回動位置をロック部で保持したまま、第１の押圧部による押圧位置を回動フックの第１の領域及び第２の領域の間で切り替えることができる。
【００１５】
本発明の実施の形態に係る特徴は、前記構成において、前記バネ部材は、前記棒状体の前記回動軸とは異なる第２の回動軸を回動中心として第１の回動方向又はこれとは反対の第２の回動方向へ回動可能に支持され、前記バネアームは、前記変位端が前記第１の回動方向へ所定量回動した状態で前記棒状体の前記第１の領域を前記第１の押圧部によって押圧することにより、前記回動フックを第１の回動方向へ回動させると共に、前記変位端が前記第２の回動方向へ所定量回動した状態で前記棒状体の前記第２の領域を前記第１の押圧部によって押圧することにより、前記回動フックを前記第１の回動方向とは反対の第２の回動方向へ回動させることである。
【００１６】
この構成によれば、バネアームの回動動作によって、回動フックに対する第１の押圧部の押圧位置を、第１の領域及び第２の領域の間で切り替えることができる。
【００１７】
本発明の実施の形態に係る特徴は、前記構成において、前記付勢手段は、前記回動フックに設けられた第２の押圧部と、前記バネアームに設けられ、前記回動フックが前記第１の状態にあるとき、前記回動フックの前記第２の押圧部に押圧されて、前記バネアームの前記第１の押圧部による押圧位置を前記第１の領域から前記第２の領域へ切り替えるように付勢力を発生する第１の内バネと、前記バネアームに設けられ、前記回動フックが前記第２の状態にあるとき、前記回動フックの前記第２の押圧部に押圧されて、前記バネアームの前記第１の押圧部による押圧位置を前記第２の領域から前記第１の領域へ切り替えるように付勢力を発生する第２の内バネと、を備えることである。
【００１８】
この構成によれば、バネアームに設けられた第１の内バネ及び第２の内バネによって付勢力を発生させることにより、部品点数を削減した一段と簡易な構成のプッシュラッチ構造を実現できる。
【００１９】
本発明の実施の形態に係る特徴は、前記構成において、前記付勢手段は、前記バネアーム及び前記回動フックに支持され、前記回動フックが前記第１の状態にあるとき、前記バネアームの前記第１の押圧部による押圧位置を前記第１の領域から前記第２の領域へ切り替えるように第１の付勢力を発生し、前記回動フックが前記第２の状態にあるとき、前記バネアームの前記第１の押圧部による押圧位置を前記第２の領域から前記第１の領域へ切り替えるように第２の付勢力を発生する弾性体であることである。
【００２０】
この構成によれば、バネアームと回動フックとによって支持された弾性体による付勢力（弾性力）によって、バネアームを回動させることにより、比較的簡単な構成でロック動作及びロック解除動作を実現することができ、また、耐久性を向上させることができる。
【００２１】
本発明の実施の形態に係る特徴は、前記構成において、前記弾性体は、コイルバネであり、前記バネアーム及び前記回動フックの回動位置に応じて、前記第１又は第２の付勢力を発生することである。
【００２２】
この構成によれば、バネアーム及び回動フックの回動動作によって、コイルバネに付勢力を発生させることにより、比較的簡単な構成でロック動作及びロック解除動作を実現することができ、また、耐久性を向上させることができる。
【００２３】
本発明の実施の形態に係る特徴は、前記構成において、前記付勢手段は、前記バネアームに支持される弾性体と、前記回動フックに設けられ、前記回動フックの回動動作に応じて、前記弾性体を弾性変形させる第２の押圧部と、を備え、前記回動フックが前記第１の状態にあるとき、前記第２の押圧部による前記弾性体の弾性変形により、前記バネアームの前記第１の押圧部による押圧位置が前記第１の領域から前記第２の領域へ切り替わるように第１の付勢力を発生し、前記回動フックが前記第２の状態にあるとき、前記第２の押圧部による前記弾性体の弾性変形により、前記バネアームの前記第１の押圧部による押圧位置が前記第２の領域から前記第１の領域へ切り替わるように第２の付勢力を発生することである。
【００２４】
この構成によれば、バネアームに支持された弾性体による付勢力（弾性力）によって、バネアームを回動させることにより、比較的簡単な構成でロック動作及びロック解除動作を実現することができ、また、耐久性を向上させることができる。
【００２５】
本発明の実施の形態に係る特徴は、前記構成において、前記弾性体は、第1及び第２の端部が対峙するＵ字形バネであり、前記バネアームは、当該バネアームが揺動動作する際の揺動軸において前記バネアームと一体に回動する前記Ｕ字形バネの支持部を備え、前記Ｕ字形バネの内側に前記支持部がはめ込まれ、前記Ｕ字形バネの前記第１及び第２の端部の間に前記第２の押圧部が介挿され、前記回動フックの回動動作に伴って、前記第２の押圧部が前記Ｕ字形バネの前記第１及び第２の端部のうちのいずれかを互いの離間方向に変位させ、当該変位により発生する前記Ｕ字形バネの弾性力によって、前記支持部を介して前記バネアームを揺動させることである。
【００２６】
この構成によれば、回動フックの回動動作によって、Ｕ字形バネに付勢力（弾性力）を発生させることにより、比較的簡単な構成でロック動作及びロック解除動作を実現することができ、また、耐久性を向上させることができる。
【００２７】
本発明の実施の形態に係る特徴は、収納部に対して扉を開閉可能に支持する扉の開閉構造であって、前記収納部に設けられたプッシュラッチ装置と、前記扉に設けられ、前記プッシュラッチ装置に係止される係止部と、前記収納部の開口端部と前記扉との間に介挿されるパッキンと、を有し、前記プッシュラッチ装置は、棒状体と、前記棒状体の第２の端部に設けられた曲折形状のフック部とを有し、前記棒状体の前記第２の端部と前記第２の端部に対して反対側の第１の端部との間に設けられた回動軸を回動中心として回動可能に支持された回動フックと、第１の揺動位置及び第２の揺動位置の間を変位端が揺動変位可能に支持されたバネ部材と、前記バネ部材の前記変位端側に設けられた押圧部と、前記変位端側に設けられ前記扉の前記係止部に押圧される受け部とを有し、前記変位端が前記第１の揺動位置へ変位した状態で、前記係止部の押圧により前記棒状体の前記回動軸と前記第１の端部との間の第１の領域を前記押圧部によって押圧し、前記回動フックを第１の回動方向へ回動させると共に、前記変位端が前記第２の揺動位置へ変位した状態で、前記係止部の押圧により前記棒状体の前記回動軸と前記第２の端部との間の第２の領域を前記押圧部によって押圧し、前記回動フックを前記第１の回動方向とは反対の第２の回動方向へ回動させるバネアームと、前記回動フックが前記第１の回動方向へ所定量回動した第１の状態で前記回動フックを所定の保持力をもってロックすると共に、前記回動フックが前記第２の回動方向へ所定量回動した第２の状態で前記回動フックを所定の保持力をもってロックするロック部と、前記バネアームの前記押圧部による前記第１の領域に対する押圧の結果に応じて、前記バネアームの前記押圧部による前記回動フックの押圧位置が、前記第１の領域から前記第２の領域へ切り替わるように前記バネアームを付勢し、前記バネアームの前記押圧部による前記第２の領域に対する押圧の結果に応じて、前記バネアームの前記押圧部による前記回動フックの押圧位置が、前記第２の領域から前記第１の領域へ切り替わるように前記バネアームを付勢する第１の付勢手段と、を備え、前記回動フックの回動位置に応じて、前記フック部により前記扉の係止部を係止又は係止解除することである。
【００２８】
この構成によれば、第１の付勢手段の付勢力によって押圧部を第１の揺動位置及び第２の揺動位置の間で揺動変位させ、扉を係止状態又は係止解除状態とすることにより、プッシュラッチ装置に対する扉の押し込み操作のストローク量を一段と小さくし操作性を向上させることができる。
【００２９】
本発明の実施の形態に係る特徴は、前記構成において、前記扉を開放する方向に付勢する第２の付勢手段を備えることである。
【００３０】
この構成によれば、プッシュラッチによる扉の係止状態が解除された場合に、第２の付勢手段によって扉が自動的に一定量だけ開かれることにより、扉を開く操作の操作性を向上させることができる。また、扉を係止状態とした際に、第２の付勢手段によって、回動フックによって係止される範囲内で扉が開く方向に戻されることにより、次の操作（ロック状態からロック解除操作、又はロック解除状態からロック操作）へ移行するためのバネアームの回動動作を確実に行わせることができる。
【００３１】
本発明の実施の形態に係る特徴は、収納部に対して扉を開閉可能に支持する扉の開閉構造に用いられるプッシュラッチ装置であって、棒状体と、前記棒状体の第２の端部に設けられた曲折形状のフック部とを有し、前記棒状体の前記第２の端部と前記第２の端部に対して反対側の第１の端部との間に設けられた回動軸を回動中心として回動可能に支持された回動フックと、第１の揺動位置及び第２の揺動位置の間を変位端が揺動変位可能に支持されたバネ部材と、前記バネ部材の前記変位端側に設けられた押圧部と、前記変位端側に設けられ前記扉に設けられた係止部に押圧される受け部とを有し、前記変位端が前記第１の揺動位置へ変位した状態で、前記係止部の押圧により前記棒状体の前記回動軸と前記第１の端部との間の第１の領域を前記押圧部によって押圧し、前記回動フックを第１の回動方向へ回動させると共に、前記変位端が前記第２の揺動位置へ変位した状態で、前記係止部の押圧により前記棒状体の前記回動軸と前記第２の端部との間の第２の領域を前記押圧部によって押圧し、前記回動フックを前記第１の回動方向とは反対の第２の回動方向へ回動させるバネアームと、前記回動フックが前記第１の回動方向へ所定量回動した第１の状態で前記回動フックを所定の保持力をもってロックすると共に、前記回動フックが前記第２の回動方向へ所定量回動した第２の状態で前記回動フックを所定の保持力をもってロックするロック部と、前記バネアームの前記押圧部による前記第１の領域に対する押圧の結果に応じて、前記バネアームの前記押圧部による前記回動フックの押圧位置が、前記第１の領域から前記第２の領域へ切り替わるように前記バネアームを付勢し、前記バネアームの前記押圧部による前記第２の領域に対する押圧の結果に応じて、前記バネアームの前記押圧部による前記回動フックの押圧位置が、前記第２の領域から前記第１の領域へ切り替わるように前記バネアームを付勢する付勢手段と、を備え、前記回動フックの回動位置に応じて、前記フック部により前記扉の係止部を係止又は係止解除することである。
【００３２】
この構成によれば、付勢手段の付勢力によって押圧部を第１の揺動位置及び第２の揺動位置の間で変位させ、扉を係止状態又は係止解除状態とすることにより、扉の開閉時における押し込みストローク量を一段と小さくし操作性を向上させることができる。
【発明の効果】
【００３３】
本発明によれば、押し込み操作のストローク量を小さくして、操作性を向上し得るプッシュラッチ構造、扉の開閉構造及び扉の開閉構造に用いられるプッシュラッチ装置を提供することができる。
【図面の簡単な説明】
【００３４】
【図１】第１の実施の形態のプッシュラッチ装置を用いた扉の開閉構造を示す斜視図である。
【図２】扉の蝶番の構成を示す斜視図である。
【図３】プッシュラッチ装置を示す断面図である。
【図４】プッシュラッチ装置のケースを示す斜視図である。
【図５】プッシュラッチ装置のケースを示す平面図及び正面図である。
【図６】プッシュラッチ装置のバネアームを示す斜視図である。
【図７】プッシュラッチ装置のバネアームを示す平面図及び側面図である。
【図８】プッシュラッチ装置の回動フックを示す斜視図である。
【図９】プッシュラッチ装置の回動フックを示す平面図及び正面図である。
【図１０】バネアーム及び回動フックの組み立て状態を示す斜視図である。
【図１１】バネアーム及び回動フックを組み付けた状態を示す斜視図である。
【図１２】バネアーム及び回動フックを示す平面図である。
【図１３】バネアーム及び回動フックを示す平面図である。
【図１４】係止部を示す斜視図である。
【図１５】プッシュラッチ装置及び係止部を示す正面図である。
【図１６】扉を閉じる動作の説明に供する断面図である。
【図１７】扉を閉じる動作の説明に供する断面図である。
【図１８】扉を閉じる動作の説明に供する断面図である。
【図１９】扉を閉じる動作及び扉を開く動作の説明に供する断面図である。
【図２０】扉を開く動作の説明に供する断面図である。
【図２１】扉を開く動作の説明に供する断面図である。
【図２２】扉を開く動作の説明に供する断面図である。
【図２３】第２の実施の形態に係るプッシュラッチ装置２００を用いた扉の開閉構造を示す断面図である。
【図２４】第２の実施の形態に係るプッシュラッチ装置２００を用いた扉の開閉構造を示す断面図である。
【図２５】ケース２１０を示す平面図である。
【図２６】バネアーム２３０を示す平面図（ａ）及びその右側面図（ｂ）である。
【図２７】回動フック２６０を示す平面図（ａ）及びその右側面図（ｂ）である。
【図２８】コイルバネを示す平面図である。
【図２９】バネアーム及び回動フックの回動位置に応じたコイルバネの状態を示す平面図である。
【図３０】バネアーム及び回動フックの回動位置に応じたコイルバネの状態を示す平面図である。
【図３１】バネアーム及び回動フックの回動位置に応じたコイルバネの状態を示す平面図である。
【図３２】バネアームの受け部と係止部との干渉状態の説明に供する平面図である。
【図３３】ケースの支持孔とバネアームの回動軸との係合状態を示す平面図である。
【図３４】ケースの支持孔とバネアームの回動軸との係合状態を示す平面図である。
【図３５】第３の実施の形態に係るプッシュラッチ装置４００を用いた扉の開閉構造意を示す断面図である。
【図３６】第３の実施の形態に係るプッシュラッチ装置４００を用いた扉の開閉構造意を示す断面図である。
【図３７】第３の実施の形態に係るプッシュラッチ装置４００を用いた扉の開閉構造意を示す断面図である。
【図３８】第３の実施の形態に係るプッシュラッチ装置４００を用いた扉の開閉構造意を示す断面図である。
【図３９】ケースを示す平面図である。
【図４０】バネアームの回動軸部分を示す部分的断面図である。
【図４１】バネアームの外観を示す斜視図である。
【図４２】Ｕ字形バネを示す斜視図である。
【図４３】第２の押圧部を示す斜視図である。
【図４４】他の実施の形態によるＵ字形バネを示す斜視図である。
【図４５】他の実施の形態によるＵ字形バネを示す部分的断面図である。
【図４６】他の実施の形態による溝部の形状を示す部分的断面図である。
【図４７】他の実施の形態に係る付勢手段を示す断面図である。
【図４８】他の実施の形態に係る付勢手段を示す断面図である。
【図４９】他の実施の形態に係る引出し収納装置を示す斜視図である。
【図５０】他の実施の形態の引出し収納装置のキャビネットを示す正面図である。
【図５１】引出し収納装置に用いられるプッシュラッチ装置を示す断面図である。
【図５２】引出し収納装置に用いられるプッシュラッチ装置を示す断面図である。
【発明を実施するための形態】
【００３５】
以下に、本発明に好適な実施形態について図面に基づいて説明する。
（第１の実施の形態）
図１は、第１の実施の形態に係るプッシュラッチ装置１００を用いた扉の開閉構造を示す斜視図である。この開閉構造は、例えば収納部１１の扉２０を開閉するための開閉構造である。
【００３６】
図１に示すように、収納部１１は、底板１１Ａ、天井板１１Ｂ、背板１１Ｃ及び左右の側面板１１Ｄ、１１Ｅによって構成されており、前面に開口部を有している。側面板１１Ｅには、蝶番１４が設けられており、この蝶番１４を介して扉２０が回動可能に軸支されている。この扉２０によって開口部が開閉可能となっている。
【００３７】
なお、蝶番１４には、扉２０が開放する方向に付勢力を発生させる付勢手段が設けられている。この付勢手段としては、例えば、図２に示すように、コイルバネ１４Ａを用いる構成等、種々の構成を用いることができる。
【００３８】
コイルバネ１４Ａの付勢力に抗して扉２０を閉じると、当該扉２０が開口部の端部（底板１１Ａ、天井板１１Ｂ及び左右の側面板１１Ｄ、１１Ｅの端部）に当接することにより、開口部が閉じられる。
【００３９】
開口部の端部（底板１１Ａ、天井板１１Ｂ及び左右の側面板１１Ｄ、１１Ｅの端部）には、開口部を取り囲むようにパッキン１３が設けられており、扉２０を閉じた際に、開口部の端部と扉２０との間にパッキン１３が介挿されるように構成されている。パッキン１３の材質としては、例えば、ゴム系、シリコン、スチレン系エラストマー等、軟性を持った材料であれば、種々のものを用いることができる。このパッキン１３により、扉２０を閉じると、収納部１１の内部が外部から密閉される。パッキン１３は、後述する図１６〜図２４に示すように、その断面が肉薄中空形状を有しており、開口部と扉２０との間に挟まれた状態において、扉２０を押し付けることにより容易に変形し易い程度の軟性を有している。これにより、扉２０を押し付けた際に、パッキン１３からの反発力が必要以上に大きくなることを回避しつつ、パッキン１３の変形により、開口部と扉２０との間を充分に密閉することができる。
【００４０】
収納部１１の内部には、開口部に面してプッシュラッチ装置１００が設けられており、また、扉２０には、扉２０を閉じた際にプッシュラッチ装置１００に係止される係止部２１が設けられている。
【００４１】
図３は、プッシュラッチ装置１００及び係止部２１を示す断面図である。図３に示すように、プッシュラッチ装置１００は、ケース１１０、バネアーム１３０及び回動フック１６０によって構成されている。ケース１１０、バネアーム１３０及び回動フック１６０は、樹脂、金属等の材料を用いて形成することができる。
【００４２】
図３〜図５に示すように、ケース１１０は、ねじ孔１１２Ａ、１１２Ｂを介して収納部１１の天井板１１Ｂにねじ止めされるようになっており、内部には、バネアーム１３０及び回動フック１６０を設ける貫通部１１１を有している。ケース１１０には、バネアーム１３０を回動可能に支持する支持孔１１３と、回動フック１６０を回動可能に支持する支持孔１１４とが設けられている。また、ケース１１０には、回動フック１６０をロックするためのロック部１１８が設けられている。このロック部１１８は、爪部１１８Ａと、弾性をもった腕部１１８Ｂとを有し、爪部１１８Ａは、腕部１１８Ｂを介してケース１１０に対して揺動可能に支持されている。このロック部１１８は、ケース１１０と一体に形成されていてもよく、又は別体の部品をケース１１０に取り付けるようにしてもよい。
【００４３】
図３、図６及び図７に示すように、バネアーム１３０は、ケース１１０の支持孔１１３に回動可能に支持される回動軸１３１を有し、この回動軸１３１を回動中心として、変位端１３０Ａ側が矢印ａで示す第１の方向（図７（ａ））又は第１の方向とは反対の第２の方向（矢印ｂ方向（図７（ａ）））へ揺動変位するようになっている。
【００４４】
変位端１３０Ａにおいては、回動軸１３１から弾性を有するバネ部材１３３を介して押圧部１３２及び受け部１３４が設けられている。受け部１３４は、扉２０が閉じられた際に、当該扉２０に設けられた係止部２１（図１）によって押し込まれる部分であり、バネ部材１３３が撓むことによって、回動軸１３１に接近する方向（矢印ｃ方向）に押し込まれるようになっている。また、押圧部１３２は、受け部１３４が係止部２１によって押し込まれる際に、受け部１３４と一体となって回動軸１３１に接近する方向（矢印ｃ方向）に押し込まれる。なお、扉２０が開けられて係止部２１による押し込みが解除された場合、受け部１３４及び押圧部１３２は、バネ部材１３３の弾性によって元の位置に戻る。
【００４５】
回動軸１３１には、第１の内バネ１３５Ａを介して第１の当接部１３６Ａが設けられており、また、第２の内バネ１３５Ｂを介して第２の当接部１３６Ｂが設けられている。第１の当接部１３６Ａは、後述する回動フック１６０に設けられた押圧部１６２によって、開く方向（矢印ｄ方向（図７（ａ）））へ変位するようになされており、また第２の当接部１３６Ｂは、後述する回動フック１６０に設けられた押圧部１６２によって、開く方向（矢印ｅ方向（図７（ａ）））へ変位するようになされている。なお、第１の当接部１３６Ａは、回動フック１６０の押圧部１６２による押圧が解除された場合には、第１の内バネ１３５Ａの弾性によって元の位置に戻り、また、第２の当接部１３６Ｂは、回動フック１６０の押圧部１６２による押圧が解除された場合には、第２の内バネ１３５Ｂの弾性によって元の位置に戻る。
【００４６】
なお、本実施の形態の場合、バネアーム１３０は弾性のあるＰＰ（ポリプロピレン樹脂）、ＰＥ（ポリエチレン樹脂）、ＰＳ（ポリスチレン樹脂）又はナイロン樹脂等を用いることができるが、これに限られるものではなく、種々の樹脂材料を用いることができる。また、樹脂材料に限られるものではなく、金属材料等、他の種々の材料を用いることができる。さらに、本実施の形態の場合、バネアーム１３０として、バネ部材１３３、第１の内バネ１３５Ａ、第２の内バネ１３５Ｂ、第１の当接部１３６Ａ、第２の当接部１３６Ｂ、押圧部１３２及び受け部１３４を一体に形成する場合について述べるが、これに限られるものではなく、例えば、第１の内バネ１３５Ａ及び第２の内バネ１３５Ｂを別体として、バネアーム１３０に取り付けた構成としてもよい。この場合、第１の内バネ１３５Ａ及び第２の内バネ１３５Ｂを金属材料で構成し、他の部分を樹脂材によって構成する等、種々の材質の組合せを適用することができる。このようにすることにより、応力が集中する部位には耐久性のある金属材料等を用いることで、バネアーム１３０全体としての耐久性を向上させることができる。
【００４７】
図３、図８及び図９に示すように、回動フック１６０は、ケース１１０の支持孔１１４に回動可能に支持される回動軸１６１を有し、この回動軸１６１を回動中心として、矢印ｈ方向（図９（ａ））又はこれとは反対の矢印ｉ方向（図９（ａ））へ回動するようになっている。
【００４８】
回動フック１６０は、回動軸１６１によって回動可能に支持されたアーム部１６３と、このアームの第２の端部に形成された曲折形状のフック部１６４と、第２の端部とは反対側の第１の端部に形成されたロック係合部１６５と、アーム部１６３の略中央部分に設けられた押圧部１６２とを有している。
フック部１６４は、回動フック１６０が矢印ｈ方向に回動した際に、扉２０の係止部２１を係止するものである。
【００４９】
ロック係合部１６５は、ケース１１０のロック部１１８に係合されるもので、回動フック１６０が矢印ｈ方向に回動すると、傾斜部１６５Ａがロック部１１８の爪部１１８Ａと係合することにより、この状態において、回動フック１６０は矢印ｉ方向へ回動しないようにロックされ、これに対して、回動フック１６０が矢印ｉ方向に回動すると、傾斜部１６５Ｂがロック部１１８の爪部１１８Ａと係合することにより、この状態において、回動フック１６０は矢印ｈ方向へ回動しないようにロックされる。
【００５０】
押圧部１６２は、回動フック１６０が矢印ｈ方向に回動することによって、バネアーム１３０（図３）の第１の内バネ１３５Ａに支持された第１の当接部１３６Ａを開く方向（矢印ｄ方向（図７（ａ）））へ変位させ、また回動フック１６０が矢印ｉ方向に回動することによって、バネアーム１３０（図３）の第２の内バネ１３５Ｂに支持された第２の当接部１３６Ｂを開く方向（矢印ｅ方向（図７（ａ）））へ変位させる。
【００５１】
図１０及び図１１は、バネアーム１３０及び回動フック１６０をケース１１０（図３）に組み込んだ状態について、ケース１１０を省略して示す斜視図である。図１０及び図１１に示すように、バネアーム１３０は、回動軸１３１を回動中心として回動することにより、その回動位置に応じて、押圧部１３２が回動フック１６０のアーム部１６３の第１の領域ＡＲ１又はＡＲ２のいずれかに当接した状態となる。第１の領域ＡＲ１とは、回動フック１６０のアーム部１６３の回動軸１６１とロック係合部１６５との間の領域であり、第２の領域ＡＲ２とは、回動フック１６０のアーム部１６３の回動軸１６１とフック部１６４との間の領域である。
【００５２】
一方、回動フック１６０は、回動軸１６１を回動中心として回動することにより、その回動位置に応じて、押圧部１６２がバネアーム１３０の第１の当接部１３６Ａを押す状態又は第２の当接部１３６Ｂを押す状態となる。
【００５３】
そして、図１２に示すように、バネアーム１３０が矢印ｂ方向に回動した状態において、回動フック１６０の第２の領域ＡＲ２がバネアーム１３０の押圧部１３２によって押されると、回動フック１６０は、矢印ｉ方向へ回動する。すなわち、扉２０の係止部２１によって、バネアーム１３０の受け部１３４が矢印ｃ方向に押し込まれると、これに応じて押圧部１３２も矢印ｃ方向へ押し込まれることとなり、これにより、回動軸１６１とフック部１６４との間の第２の領域ＡＲ２がバネアーム１３０の押圧部１３２によって矢印ｃ方向に押され、回動フック１６０は、矢印ｉ方向へ回動する。この場合、回動フック１６０のロック係合部１６５は、ケース１１０（図３）のロック部１１８の爪部１１８Ａを乗り越えてロックされる。すなわち、回動フック１６０のロック係合部１６５は、ユーザが扉２０を閉じる力によってロック部１１８の爪部１１８Ａを乗り越えてロックされる。さらにこの回動によって、回動フック１６０の押圧部１６２がバネアーム１３０の第２の内バネ１３５Ｂの先端部に設けられた当接部１３６Ｂを矢印ｅ方向へ押すことになる。すなわち、バネアーム１３０は、全体として、矢印ａ方向に付勢される。ここで、ケース１１０のロック部１１８の腕部１１８Ｂの弾性力は、第２の内バネ１３５Ｂの弾性力よりも強く設定されていることにより、ユーザが扉２０を閉じる操作を止めてバネアーム１３０が係止部２１による押し込みから解放されると、ロック部１１８によって回動フック１６０はロック状態が維持され、内バネ１３５Ｂにおいて生じた付勢力によって、バネアーム１３０が矢印ａ方向に回動することになる。因みに、図２について上述したように、扉２０は、コイルバネ１４Ａ等によって、開く方向に付勢されていることにより、ユーザによる扉２０を閉じる力から解放されると、開く方向に回動しようとするため、係止部２１によってバネアーム１３０の受け部１３４が押さえられなくなり、バネアーム１３０は容易に矢印ａ方向に回動する。
【００５４】
また、図１３に示すように、バネアーム１３０が矢印ａ方向に回動した状態において、回動フック１６０の第１の領域ＡＲ１がバネアーム１３０の押圧部１３２によって押されると、回動フック１６０は、矢印ｈ方向へ回動する。すなわち、扉２０の係止部２１によって、バネアーム１３０の受け部１３４が矢印ｃ方向に押し込まれると、これに応じて押圧部１３２も矢印ｃ方向へ押し込まれることとなり、これにより、回動軸１６１とロック係合部１６５との間の第１の領域ＡＲ１がバネアーム１３０の押圧部１３２によって矢印ｃ方向に押され、回動フック１６０は、矢印ｈ方向へ回動する。この場合、回動フック１６０のロック係合部１６５は、ケース１１０（図３）のロック部１１８の爪部１１８Ａを乗り越えてロックされる。すなわち、回動フック１６０のロック係合部１６５は、ユーザが扉２０を閉じる力によってロック部１１８の爪部１１８Ａを乗り越えてロックされる。さらにこの回動によって、回動フック１６０の押圧部１６２がバネアーム１３０の第１の内バネ１３５Ａの先端部に設けられた当接部１３６Ａを矢印ｄ方向へ押すことになる。すなわち、バネアーム１３０は、全体として、矢印ｂ方向に付勢される。ここで、ケース１１０のロック部１１８の腕部１１８Ｂの弾性力は、第１の内バネ１３５Ａの弾性力よりも強く設定されていることにより、ユーザが扉２０を閉じる操作を止めてバネアーム１３０が係止部２１による押し込みから解放されると、ロック部１１８によって回動フック１６０はロック状態が維持され、内バネ１３５Ａにおいて生じた付勢力によって、バネアーム１３０が矢印ｂ方向に回動することになる。因みに、図２について上述したように、扉２０は、コイルバネ１４Ａ等によって、開く方向に付勢されていることにより、ユーザによる扉２０を閉じる力から解放されると、開く方向に回動しようとするため、係止部２１によってバネアーム１３０の受け部１３４が押さえられなくなり、バネアーム１３０は容易に矢印ｂ方向に回動する。
【００５５】
このように、扉２０が閉じられてバネアーム１３０の受け部１３４が矢印ｃ方向に押される操作（プッシュ操作）が行われる都度、回動フック１６０は、図１３に示すロック解除位置から図１２に示すロック位置へ回動し、又は図１２に示すロック位置から図１３に示すロック解除位置へ回動する。
【００５６】
図１４に示すように、扉２０に設けられた係止部２１は、径の小さな支持部２１Ｂの先端部に径の大きな係止片２１Ａが設けられており、この係止片２１Ａを、矢印ｈ方向に回動した回動フック１６０（図１２）のフック部１６４が係止することにより、図３に示したように、扉２０をロックすることができる。図１５は、回動フック１６０のフック部１６４が係止部２１の係止片２１Ａを係止したロック状態を示す正面図である。
【００５７】
以上説明したように、プッシュラッチ装置１００においては、バネアーム１３０の受け部１３４を扉２０の係止部２１によって押し込むことにより、バネアーム１３０の内バネ１３５Ａ又は１３５Ｂにおいては、バネアーム１３０を押し込む方向（矢印ｃ方向）を横切る方向（矢印ａ方向又はｂ方向）に回動付勢する付勢力を発生させる。そして、ユーザによる扉２０の押し込み操作が終わると、当該押し込み操作によるバネアーム１３０に対する押し込み力が解除され、その結果、内バネ１３５Ａ又は１３５Ｂによる付勢力によってバネアーム１３０が矢印ａ方向又は矢印ｂ方向に回動する。この回動によって、回動フック１６０によるロック操作又はロック解除操作への切替えがなされる。
【００５８】
次に、扉２０を閉じる操作及び開く操作について説明する。図１６〜図１９は扉２０を閉じる操作の説明に供する図である。図１６に示すように、扉２０が開いている状態においては、回動フック１６０がロック解除する状態（図１３に示したように、回動フック１６０が矢印ｉ方向に回動した状態）となっており、この状態でユーザが扉２０を閉じると、扉２０の係止部２１は、回動フック１６０のフック部１６４に当ることなくバネアーム１３０の受け部１３４に当接する。
【００５９】
係止部２１がバネアーム１３０の受け部１３４に当接した後、さらに扉２０を閉じると、バネアーム１３０のバネ部材１３３が撓んで受け部１３４の位置が押し込み方向（図１３に示した矢印ｃ方向）に変位する。これにより、図１７に示すように、扉２０がパッキン１３に当接してこれを潰すように変形させる。パッキン１３は、薄肉中空構造となっていることにより、比較的小さな力でこれを変形させることができる。このように扉２０と収納部１１の側面板１１Ｄとの間にパッキン１３が介挿されることにより、収納部１１の内部を密閉することができる。因みに、図１７は、扉２０がパッキン１３に当接した後、さらに扉２０を０．５〔mm〕押し込んだ状態を示している。
【００６０】
この状態においては、係止部２１によってバネアーム１３０の受け部１３４が押され、これにより、バネアーム１３０の押圧部１３２が回動フック１６０の第１の領域ＡＲ１を押圧する。この結果、回動フック１６０がそのフック部１６４を係止部２１に係止させる方向に僅かに回動し、この回動によって、バネアーム１３０の内バネ１３５Ａが回動フック１６０の押圧部１６２によって開く方向（図１２、図１３に示した矢印ｄ方向）へ付勢される。この状態において、回動フック１６０のロック係合部１６５は、ケース１１０のロック部１１８の爪部１１８Ａを押すことにより、爪部１１８Ａを支持する腕部１１８Ｂは、その弾性によって撓み、この結果、ロック係合部１６５が爪部１１８Ａを乗り越えはじめる。
【００６１】
さらに扉２０を押し込むと、図１８に示すように、回動フック１６０は、そのフック部１６４を完全に係止部２１に係止する位置まで回動する。因みに、図１８は、扉２０がパッキン１３に当接した後、当該扉２０をさらに１〔ｍｍ〕押し込んだ状態を示している。この状態においては、回動フック１６０の押圧部１６２がバネアーム１３０の内バネ１３５Ａをさらに広げるように付勢する。また、回動フック１６０のロック係合部１６５は、ロック部１１８の爪部１１８Ａを完全に乗り越え、回動フック１６０はロックされる。上述したように、ロック部１１８の腕部１１８Ｂの弾性力は、内バネ１３５Ａの弾性力よりも強く設定されていることにより、この状態でユーザが扉２０を押し込む操作（閉じる操作）を止めても、回動フック１６０は、ロック部１１８によってロックされた状態を維持し、内バネ１３５Ａに生じた付勢力は、バネアーム１３０を矢印ｂ方向に回動させるための力として作用する。因みに、ユーザが扉２０を押し込んだ後、閉じる操作を止めると、図２において上述した蝶番１４のコイルバネ１４Ａによる付勢力によって、扉２０は、回動フック１６０のフック部１６４にロックされる範囲内で開く方向に回動し、回動フック１６０のフック部１６４に係止された状態となる。これにより、扉２０の係止部２１がバネアーム１３０の受け部１３４を押し込む力は解除され、バネアーム１３０は容易に回動することができる。
【００６２】
これにより、図１９に示すように、バネアーム１３０は、矢印ｂ方向（図１８）に回動し、次に扉２０が閉じられる操作が行われる場合に備えた準備が完了する。かくして、扉２０を閉じる操作時のロック動作が完了する。なお、ロック動作が完了した状態（図１９）においても、扉２０はパッキン１３を押圧する状態となっていることにより、収納部１１の内部は、パッキン１３によって密閉される。
【００６３】
一方、図１９〜図２２は、閉じた状態の扉２０を開く操作の説明に供する図である。図１９に示すように、扉２０が閉じて係止部２１がロックされた状態においては、回動フック１６０がロック状態（図１２に示したように、回動フック１６０が矢印ｈ方向に回動した状態）となっており、この状態でユーザが扉２０を押し込むと、係止部２１がバネアーム１３０の受け部１３４に当接した後、さらに扉２０を閉じると、バネアーム１３０のバネ部材１３３が撓んで受け部１３４の位置が押し込み方向（図１２に示した矢印ｃ方向）に変位する。これにより、図２０に示すように、扉２０がパッキン１３に当接してこれを潰すように変形させる。因みに、図２０は、扉２０がパッキン１３に当接した後、さらに扉２０を０．５〔mm〕押し込んだ状態を示している。
【００６４】
この状態においては、係止部２１によってバネアーム１３０の受け部１３４が押され、これにより、バネアーム１３０の押圧部１３２が回動フック１６０の第２の領域ＡＲ２を押圧する。この結果、回動フック１６０がそのフック部１６４を係止部２１から離間させる方向に僅かに回動し、この回動によって、バネアーム１３０の内バネ１３５Ｂが回動フック１６０の押圧部１６２によって開く方向（図１２、図１３に示した矢印ｅ方向）へ付勢される。この状態において、回動フック１６０のロック係合部１６５は、ケース１１０のロック部１１８の爪部１１８Ａを押すことにより、爪部１１８Ａを支持する腕部１１８Ｂは、その弾性によって撓み、この結果、ロック係合部１６５が爪部１１８Ａを乗り越えはじめる。
【００６５】
さらに扉２０を押し込むと、図２１に示すように、回動フック１６０は、そのフック部１６４を完全に係止部２１から離間させた係止位置まで回動する。因みに、図２１は、扉２０がパッキン１３に当接した後、当該扉２０をさらに１〔ｍｍ〕押し込んだ状態を示している。この状態においては、回動フック１６０の押圧部１６２がバネアーム１３０の内バネ１３５Ｂをさらに広げるように付勢する。また、回動フック１６０のロック係合部１６５は、ロック部１１８の爪部１１８Ａを完全に乗り越え、回動フック１６０はロックされる。上述したように、ロック部１１８の腕部１１８Ｂの弾性力は、内バネ１３５Ｂの弾性力よりも強く設定されていることにより、この状態でユーザが扉２０を押し込む操作を止めても、回動フック１６０は、ロック部１１８によってロックされた状態を維持し、内バネ１３５Ｂに生じた付勢力は、バネアーム１３０を矢印ａ方向に回動させるための力として作用する。ここで、ユーザが扉２０を押し込んだ後、押し込む操作を止めると、図２において上述した蝶番１４のコイルバネ１４Ａによる付勢力によって、扉２０は、開く方向に回動し、図２２に示すように、扉２０の開く操作は完了する。これにより、扉２０の係止部２１がバネアーム１３０の受け部１３４を押し込む力は完全に解除され、図２２に示すように、バネアーム１３０は容易に回動することができる。
【００６６】
かくして、図２２に示すように、バネアーム１３０は、矢印ａ方向（図２１）に回動し、次に扉２０が閉じられる操作が行われる場合に備えた準備が完了する。
【００６７】
以上説明したように、本実施の形態のプッシュラッチ装置１００においては、バネアーム１３０の受け部１３４を扉２０の係止部２１によって押し込んだ際に、バネアーム１３０の内バネ１３５Ａ又は１３５Ｂの変形によって、バネアーム１３０を矢印ａ方向又はｂ方向（図１２、図１３）へ回動させるための付勢力を発生させる。そして、ユーザによる扉２０の押し込み操作が完了して、扉２０の係止部２１によるバネアーム１３０の受け部１３４の押し込み方向への押圧操作が終わると、上記内バネ１３５Ａ又は１３５Ｂの変形による付勢力によって、バネアーム１３０が矢印ａ方向又はｂ方向へ回動することにより、扉が閉じられたロック状態にあっては、次にロック解除操作が行われる際の準備をすることができ、また、扉が開かれたロック解除状態にあっては、次にロック操作が行われる際の準備をすることができる。このように、ロック状態からロック解除操作、又はロック解除状態からロック操作への移行を、内バネ１３５Ａ又は１３５Ｂによる付勢力を利用して行い、扉２０の押し込み操作が完了することに伴って、バネアーム１３０を、扉２０の押し込み方向（図１２、図１３に示した矢印ｃ方向）を横切る方向（図１２、図１３に示した矢印ａ方向又はｂ方向）に回動させるだけで行う構成としたことにより、ロック及びロック解除に要する押し込みストロークは、バネアーム１３０の押圧部１３２が回動フック１６０の第１の領域ＡＲ１又は第２の領域ＡＲ２を押してフック部１６４を係止部２１に係止させた係止状態又は係止部２１から離間させた係止解除状態とし得るだけのストロークであればよい。
【００６８】
また、扉が開かれたロック解除状態から扉２０を押し込んで回動フック１６０のフック部１６４が係止部２１をロックしたロック状態（扉閉状態）となった場合、図１９について上述したように、係止部２１がフック部１６４に係止される範囲内で、扉２０が蝶番１４のコイルバネ１４Ａの付勢力によって開く方向に僅かに移動することにより、係止部２１がバネアーム１３０の受け部１３４を押す力を充分に解除することができ、バネアーム１３０を確実に回動させて次にロック解除操作（扉開操作）を行うための準備を完了するようになされている。この場合、バネアーム１３０は、扉２０の係止部２１による押圧力が解除されれば、内バネ１３５Ａによる付勢力が作用して、矢印ｂ方向への回動が可能となることにより、バネアーム１３０を回動させるために必要な係止部２１の開く方向への戻り量は、係止部２１による受け部１３４への押圧力が解除される僅かなストロークがあれば足りる。すなわち、この僅かなストローク量の間に扉２０とパッキン１３とが密閉状態を維持していれば、収納部１１の内部の密閉状態を維持することができる。従って、パッキンに当接した扉を押し込む際のストローク量を大きくとる必要がある他の構成に比べて、本実施の形態のプッシュラッチ装置１００は、パッキン１３に当接した扉２０を押し込む際のストローク量を小さくすることができ、その分、パッキン１３による反発力を小さくして、操作力を一段と小さくすることができる。
【００６９】
なお、本実施の形態のプッシュラッチ装置１００は、上下方向に略対称の形状であり、また左右方向にも略対称の形状であるため、取付け位置の制約を受け難く、取り付け位置の選択の幅を広くすることができる。
【００７０】
（第２の実施の形態）
図２３及び図２４は、第２の実施の形態に係るプッシュラッチ装置２００を用いた扉の開閉構造を示す断面図である。このプッシュラッチ装置２００は、図１に示したプッシュラッチ装置１００に代えて、図１に示した収納部１１に取り付けられるものである。
【００７１】
図２３及び図２４に示すように、第２の実施の形態に係るプッシュラッチ装置２００は、主に、ケース２１０、バネアーム２３０及び回動フック２６０によって構成されている。
【００７２】
図２５は、ケース２１０を示す平面図である。ケース２１０は、ねじ孔２１２Ａ、２１２Ｂを介して収納部１１（図１）の天井板１１Ｂ（図１）にねじ止めされるようになっており、内部には、バネアーム２３０及び回動フック２６０を設ける凹部２１１を有している。この凹部２１１は、ケース２１０の正面部に開口を有している。
【００７３】
ケース２１０には、バネアーム２３０の回動軸２３１を回動可能に支持する支持孔２１３と、回動フック２６０の回動軸２６１を回動可能に支持する支持孔２１４とが設けられている。また、ケース２１０には、回動フック２６０をロックするためのロック部２１８が設けられている。このロック部２１８は、爪部２１８Ａと、弾性をもった腕部２１８Ｂとを有し、爪部２１８Ａは、腕部２１８Ｂを介してケース２１０に対して揺動可能に支持されている。このロック部２１８は、ケース２１０と一体に形成されていてもよく、又は別体の部品をケース２１０に取り付けるようにしてもよい。
【００７４】
図２６は、バネアーム２３０を示す平面図（図２６（ａ））及びその右側面図（図２６（ｂ））である。図２６に示すように、バネアーム２３０は、ケース２１０の支持孔に回動可能に支持される回動軸２３１を有し、この回動軸２３１を回動中心として、変位端２３０Ａ側が矢印ａで示す第１の方向（図２６（ａ））又は第１の方向とは反対の第２の方向（矢印ｂ方向（図２６（ａ））へ揺動変位するようになっている。
【００７５】
変位端２３０Ａにおいては、回動軸２３１から弾性を有するバネ部材２３３を介して押圧部２３２及び受け部２３４が設けられている。受け部２３４は、扉２０（図１、図２３、図２４）が閉じられた際に、当該扉２０に設けられた係止部２１（図１、図２３、図２４）によって押し込まれる部分であり、バネ部材２３３が撓むことによって、回動軸２３１に接近する方向（矢印ｃ方向）に押し込まれるようになっている。また、押圧部２３２は、受け部２３４が係止部２１によって押し込まれる際に、受け部２３４と一体となって回動軸２３１に接近する方向（矢印ｃ方向）に押し込まれる。なお、扉２０が開けられて係止部２１による押し込みが解除された場合、受け部２３４及び押圧部２３２は、バネ部材２３３の弾性によって元の位置に戻る。
【００７６】
一方、図２７は、回動フック２６０を示す平面図（図２７（ａ））及びその右側面図（図２７（ｂ））である。図２７に示すように、回動フック２６０は、ケース２１０の支持孔２１４に回動可能に支持される回動軸２６１を有し、この回動軸２６１を回動中心として、矢印ｈ方向（図２７（ａ））又はこれとは反対の矢印ｉ方向（図２７（ａ））へ回動するようになっている。
【００７７】
回動フック２６０は、回動軸２６１によって回動可能に支持されたアーム部２６３と、このアームの第２の端部に形成された曲折形状のフック部２６４と、第２の端部と回動軸２６１との間においてアーム部２６３に形成されたロック係合部２６５と、回動軸２６１を介して第２の端部（フック部２６４）とは反対側の端部である第１の端部に形成された当接部２６６とを有している。
フック部２６４は、回動フック２６０が矢印ｈ方向に回動した際に、扉２０（図２３、図２４）の係止部２１を係止するものである。
【００７８】
ロック係合部２６５は、回動フック２６０の第２の端部と回動軸２６１との間において、腕部２６５Ｂを介して爪部２６５Ａがアーム部２６３に支持されている。爪部２６５Ａは、腕部２６５Ｂの弾性によって、揺動可能に支持されている。このロック係合部２６５は、ケース２１０のロック部２１８に係合されるもので、回動フック２６０が矢印ｈ方向に回動すると（図２４）、爪部２６５Ａの傾斜部２６５Ｃがロック部２１８の爪部２１８Ａと係合することにより、この状態において、回動フック２６０は矢印ｉ方向へ容易には回動しないようにロックされ、これに対して、回動フック２６０が強制的に矢印ｉ方向に回動すると（図２５）、傾斜部２６５Ｄがロック部２１８の爪部２１８Ａと係合することにより、この状態において、回動フック２６０は矢印ｈ方向へ容易には回動しないようにロックされる。
【００７９】
ここで、バネアーム２３０（図２６）には、コイルバネ３０１（後述）の一方の端部３０１Ａが支持される凹部２３７が形成されており、また、回動アーム２６０（図２７）には、コイルバネ３０１（後述）の他方の端部３０１Ｂが支持される凹部２６７が形成されている。
【００８０】
これらの凹部２３７及び２６７に両端部を支持されたコイルバネ３０１は、その両端部３０１Ａ、３０１Ｂが圧縮又は伸張されない自由な状態においては、図２８（ｂ）に示すように、凹部２３７及び２６７の間隔よりも長い状態となるように構成されている。そして、このコイルバネ３０１を凹部２３７及び２６７間に支持すると、図２８（ａ）に示すように、両端部３０１Ａ、３０１Ｂから圧縮方向に付勢された状態となる。すなわち、凹部２３７及び２６７は、当該凹部２３７及び２６７によって支持されたコイルバネ３０１により、互いに離間する方向に付勢された状態となっている。
【００８１】
また、コイルバネ３０１は、外部から力が加わらない状態においては、図２８（ｂ）に示すように、軸線Ｌが直線状になる状態を保持するようになされている。これに対して、図２９〜図３１に示すように、バネアーム２３０及び回動フック２６０が回動すると、コイルバネ３０１は屈曲する。この屈曲した状態において、コイルバネ３０１は、もとの直線状に戻ろうとする。
【００８２】
扉２０の押込み操作（プッシュラッチ装置２００に対する係止部２１のプッシュ操作）を繰り返すことで、扉２０のロック及びロック解除を繰り返すプッシュラッチ装置２００では、このようなコイルバネ３０１の弾性力（復元力）を利用し、第１の押込み操作（プッシュ操作）であるロック操作においては、当該ロック操作に続く第２の押込み操作（プッシュ操作）であるロック解除操作のための準備が行われ、また、ロック解除操作においては、当該ロック解除操作に続くロック操作のための準備が行われる。
【００８３】
図２９〜図３１は、バネアーム２３０及び回動フック２６０をケース２１０（図２５）に組み込んだ状態について、ケース２１０を省略して示す平面図である。図２９〜図３１に示すように、バネアーム２３０は、回動軸２３１を回動中心として矢印ａ方向又は矢印ｂ方向に回動することにより、その回動位置に応じて、押圧部２３２が回動フック２６０のアーム部２６３の第１の領域ＡＲ１又はＡＲ２のいずれかに当接した状態となる。第１の領域ＡＲ１とは、回動フック２６０のアーム部２６３の回動軸２６１と第１の端部（当接部２６６）との間の領域であり、第２の領域ＡＲ２とは、回動フック２６０のアーム部２６３の回動軸２６１とフック部２６４との間の領域である。
【００８４】
一方、回動フック２６０は、回動軸２６１を回動中心として矢印ｈ方向又は矢印ｉ方向に回動する。回動フック２６０の回動位置及びバネアーム２３０の回動位置に応じて、これら回動フック２６０及びバネアーム２３０の間に支持されたコイルバネ３０１は、図２９〜図３１のような屈曲状態となる。
【００８５】
図２９（ａ）に示すように、回動フック２６０が矢印ｉ方向に回動すると共に、バネアーム２３０が矢印ａ方向に回動して、バネアーム２３０の押圧部２３２が、回動フック２６０の回動軸２６１と第１の端部（当接部２６６）との間の第１の領域ＡＲ１に当接している状態において、扉２０の係止部２１がバネアーム２３０の受け部２３４を矢印ｃ方向（回動軸２３１に接近する方向）に押し込むと、回動フック２６０は、矢印ｈ方向へ回動する。すなわち、扉２０の係止部２１によって、バネアーム２３０の受け部２３４が矢印ｃ方向に押し込まれると、これに応じて押圧部２３２も矢印ｃ方向へ押し込まれることにより、回動フック２６０では、回動軸２６１と第１の端部（当接部２６６）との間の第１の領域ＡＲ１がバネアーム２３０の押圧部２３２によって矢印ｃ方向に押され、回動フック２６０は、矢印ｈ方向へ回動し、当該回動フック２６０のフック部２６４が係止部２１を係止してロック動作がなされる。この場合、回動フック２６０のロック係合部２６５は、ケース２１０（図２５）のロック部２１８の爪部２１８Ａを乗り越えてロックされる。すなわち、回動フック２６０のロック係合部２６５は、ユーザが扉２０を閉じる力によってロック部２１８の爪部２１８Ａを乗り越えてロックされる。さらにこの回動によって、コイルバネ３０１は、図３０に示すように、その軸線Ｌがクランク状に屈曲した状態に付勢される。
【００８６】
この場合、コイルバネ３０１のバネアーム２３０に支持された一方の端部３０１Ａ（図３０（ｂ））は、その弾性力（復元力）によって、矢印ｍ１方向に回転しようとし、また、コイルバネ３０１の回動フック２６０に支持された他方の端部３０１Ｂ（図３０（ｂ））は、その弾性力（復元力）によって、矢印ｍ２方向に回転しようとする。
【００８７】
すなわち、バネアーム２３０は、矢印ｂ方向（図３０（ａ））に回動付勢され（第１の付勢力）、回動フック２６０は、矢印ｉ方向（図３０（ａ））に回動付勢される。ここで、ケース２１０のロック部２１８の腕部２１８Ｂの弾性力は、図３０に示したクランク状に屈曲したコイルバネ３０１の弾性力（復元力）よりも強く設定されていることにより、ユーザが扉２０を閉じる操作を止めてバネアーム２３０が係止部２１による押し込みから解放されても、ロック部２１８によって回動フック２６０はロック状態が維持され、コイルバネ３０１の一方の端部３０１Ａを支持しているバネアーム２３０のみが、矢印ｂ方向に回動することになる。
【００８８】
因みに、第１の実施の形態の場合と同様にして、扉２０は、蝶番１４に設けられたコイルバネ１４Ａ（図２）及びバネアーム２３０のバネ部材２３３の弾性力によって、当該扉２０が開く方向（矢印ｎ方向（図２４））に付勢されていることにより、当該扉２０は、ユーザによる閉じる力から解放されると、開く方向（矢印ｎ方向（図２４））に回動する。この場合、係止部２１（図２４）は、回動フック２６０のフック部２６４に係止された範囲で開く方向（矢印ｎ方向（図２４））に後退することにより、係止部２１によってバネアーム２３０の受け部２３４が押さえられなくなり、バネアーム２３０は、係止部２１による押さえから開放されて、容易に矢印ｂ方向に回動する。この結果、図３１（ａ）に示すように、回動フック２６０は、扉２０の係止部２１を係止した状態を保ちながら、バネアーム２３０だけが矢印ｂ方向に回動した状態となる。この状態は、バネアーム２３０の押圧部２３２が、回動フック２６０の第２の領域ＡＲ２を当接し得る状態であり、図２９から図３１にかけてのロック操作に続くロック解除操作のための準備状態である。
【００８９】
回動フック２６０が第１の方向である矢印ｈ方向に回動して係止部２１を係止したロック状態（図３１）で、バネアーム２３０が矢印ｂ方向に回動した状態（図３１（ａ））において、再度扉２０を閉じる方向に操作して、係止部２１によりバネアーム２３０の受け部２３４が矢印ｃ方向に押し込まれると、回動フック２６０は、矢印ｉ方向へ回動する。すなわち、扉２０の係止部２１によって、バネアーム２３０の受け部２３４が矢印ｃ方向に押し込まれると、これに応じて押圧部２３２も矢印ｃ方向へ押し込まれることとなり、これにより、回動軸２６１とフック部２６４との間の第２の領域ＡＲ２がバネアーム２３０の押圧部２３２によって矢印ｃ方向に押され、回動フック２６０は、矢印ｉ方向へ回動し、フック部２６４による係止部２１のロックが解除される。この場合、回動フック２６０のロック係合部２６５は、ケース２１０（図２５）のロック部２１８の爪部２１８Ａを乗り越えてロックされる。すなわち、回動フック２６０のロック係合部２６５は、ユーザが扉２０を閉じる力によってロック部２１８の爪部２１８Ａを乗り越えてロックされる。さらにこの回動によって、コイルバネ３０１は、その軸線Ｌがクランク状に屈曲した状態に付勢される。この屈曲状態は、図３０（ｂ）に示した屈曲状態とは、逆向きの屈曲状態である。すなわち、図３０（ｂ）では、軸線Ｌが左方向に傾いているのに対して、右方向に傾いたクランク状の屈曲状態となる。この状態において、コイルバネ３０１の一方の端部３０１Ａにおいては、バネアーム２３０を矢印ａ方向に回動させる付勢力（第２の付勢力）がコイルバネ３０１の弾性力（復元力）によって発生する。
【００９０】
この場合、回動フック２６０は、ロック係止部２６５がロック部２１８によってロックされていることにより、回動フック２６０は回動せずに、バネアーム２３０だけが、コイルバネ３０１の弾性力（復元力）によって、矢印ａ方向に回動する。これにより、このロック解除操作に続くロック操作の準備が完了することになる。
【００９１】
このように、本実施の形態においては、コイルバネ３０１の弾性力（復元力）を利用して、バネアーム２３０を回動させることで、扉２０を閉じる操作（係止部２１によってバネアーム２３０の受け部２３４を押し込む操作）を行うごとに、ロック動作及びこのロック動作の完了に伴うロック解除操作の準備状態と、ロック解除動作及びこのロック解除動作の完了に伴うロック操作の準備状態とが繰返し遷移することとなる。
【００９２】
ここで、バネアーム２３０の矢印ａ方向及び矢印ｂ方向への回動動作を円滑に行わせるための構成について説明する。図３２に示すように、バネアーム２３０は回動軸２３１を回動中心として矢印ａ方向及び矢印ｂ方向に回動し、この場合、バネアーム２３０の受け部２３４の回動軌跡は、回動中心ｏを中心とした円弧ｒ２となる。バネアーム２３０は、矢印ａ方向に回動した位置（図３２において実線で示す位置）で回動フック２６０の当接部２６６（図２９）に当接した状態となり、また、矢印ｂ方向に回動した位置（図３２において破線で示す位置）で回動フック２６０のアーム部２６３の当接部２６３Ａ（図３１）に当接した状態となり、ロック状態及びロック解除状態において各々の位置を保持するようになされている。
【００９３】
図３２に示すように、バネアーム２３０が矢印ａ方向に回動した状態（実線）及び矢印ｂ方向に回動した状態（破線）の各々の位置は、回動中心ｏから係止片２１Ａの当接面２１Ｃにおろした垂線Ｑ１から所定角度θだけずれた位置となっていることにより、これらのずれた位置の間で回動しようとしても、バネアーム２３０の受け部２３４はその回動に伴って、矢印ｎ方向に深さＤ２だけ係止片２１Ａを押し下げる必要がある。この押し下げが抵抗となって、バネアーム２３０の回動が円滑に行われなくなる虞があるが、本実施の形態においては、この押し下げに代えて、バネアーム２３０の回動時において、当該バネアーム２３０が押し下げ方向である矢印ｎ方向とは反対の矢印ｃ方向に移動するようになされており、これにより、バネアーム２３０の円滑な回動動作を実現している。
【００９４】
すなわち、図３３に示すように、バネアーム２３０の回動軸２３１は、円形の回動軸本体部２３１Ａと、当該回動軸本体部２３１Ａから一方向に突出した突出部２３１Ｂとから構成されており、この回動軸２３１Ａを支持するケース２１０の支持孔２１３は、回動軸本体部２３１Ａの形状に合わせて形成された円弧部２１３Ａと、突出部２３１Ｂが回動動作時に沿うように形成された山形形状部２１３Ｂとを有した全体として長孔形状に形成されている。この支持孔２１３の長さＬ１０は、回動軸２３１の長手方向の長さＬ１１よりも長く形成されている。
【００９５】
これにより、バネアーム２３０が矢印ａ方向（図３２）に回動した状態においては、図３３（ａ）に示すように、回動軸２３１の突出部２３１Ｂが左側に傾斜した状態となり、この状態においては、回動軸２３１の回動軸本体部２３１Ａが支持孔２１３の円弧部２１３Ａに接した状態となる。すなわち、バネアーム２３０が矢印ａ方向（図３２）に回動した状態においては、回動軸本体部２３１Ａの中心は、支持孔２１３の円弧部２１３Ａの中心ｏに一致している（図３３（ａ））。
【００９６】
同様にして、バネアーム２３０が矢印ｂ方向（図３２）に回動した状態においては、図３３（ｃ）に示すように、回動軸２３１の突出部２３１Ｂが右側に傾斜した状態となり、この状態においては、回動軸２３１の回動軸本体部２３１Ａが支持孔２１３の円弧部２１３Ａに接した状態となる。すなわち、バネアーム２３０が矢印ｂ方向（図３２）に回動した状態においては、回動軸本体部２３１Ａの回動中心ｏは、支持孔２１３の円弧部２１３Ａの中心ｏ１に一致している（図３３（ｃ））。
【００９７】
これに対して、バネアーム２３０が矢印ａ方向の回動位置と矢印ｂ方向への回動位置との略中央に位置する場合（バネアーム２３０の受け部２３４が矢印ｎ方向（図３２）へ最も変位した位置にある場合）、図３３（ｂ）に示すように、回動軸２３１の突出部２３１Ｂは、バネアーム２３０と回動フック２６０との間に支持されたコイルバネ３０１の弾性力によって、支持孔２１３の山形形状部２１３Ｂの頂上部に変位した状態となる。この状態においては、回動軸２３１の回動軸本体部２３１Ａの回動中心ｏは、支持孔２１３の円弧部２１３Ａの中心ｏ１から矢印ｃ方向に変位した状態となる。すなわち、図３４に示すように、回動軸本体部２３１Ａが支持孔２１３の円弧部２１３Ａに接した状態においては、回動軸２３１の突出部２３１Ｂは、円弧部２１３Ａの中心ｏ１を中心とした円弧ｒ１上に位置するのに対して、回動軸２３１の突出部２３１Ｂが支持孔２１３の山形形状部２１３Ｂに沿って、その頂上部に接した状態となると、回動軸２３１は、矢印ｃ方向に変位量Ｄ１だけ変位した状態となる。
【００９８】
この変位量Ｄ１の変位により、バネアーム２３０の受け部２３４（図３２）は、係止部２１からの干渉を回避して、円滑に回動することが可能となる。
【００９９】
以上説明したように、本実施の形態のプッシュラッチ装置２００においては、バネアーム２３０の受け部２３４を扉２０の係止部２１によって押し込んだ際に、バネアーム２３０と回動フック２６０との間に支持されたコイルバネ３０１の変形によって、バネアーム２３０を矢印ａ方向又はｂ方向（図２３、図２４）へ回動させるための付勢力を発生させる。そして、ユーザによる扉２０の押し込み操作が完了して、扉２０の係止部２１によるバネアーム２３０の受け部２３４の押し込み方向への押圧が止められると、上記コイルバネ３０１の変形による付勢力によって、バネアーム２３０が矢印ａ方向又はｂ方向へ回動することにより、ロック状態にあっては、次にロック解除操作が行われる際の準備をすることができ、また、ロック解除状態にあっては、次にロック操作が行われる際の準備をすることができる。このように、ロック状態からロック解除操作、又はロック解除状態からロック操作への移行を、コイルバネ３０１による付勢力を利用して行い、扉２０の押し込み操作が完了することに伴って、バネアーム２３０を、扉２０の押し込み方向（図２３、図２４に示した矢印ｃ方向）を横切る方向（図２３、図２４に示した矢印ａ方向又はｂ方向）に回動させるだけで行う構成としたことにより、ロック及びロック解除に要する押し込みストロークは、バネアーム２３０の押圧部２３２が回動フック２６０の第１の領域ＡＲ１又は第２の領域ＡＲ２を押してフック部２６４を係止部２１に係止した係止状態又は係止部２１から離間させた係止解除状態とし得るだけのストロークであればよい。
【０１００】
また、ロック解除状態から扉２０を押し込んで回動フック２６０のフック部２６４が係止部２１をロックしたロック状態となった場合、係止部２１がフック部２６４に係止される範囲内で、扉２０が蝶番１４のコイルバネ１４Ａ（図２）の付勢力によって開く方向に僅かに移動することにより、係止部２１がバネアーム２３０の受け部２３４を押す力を充分に解除することができ、バネアーム２３０を確実に回動させて次にロック解除操作を行うための準備を完了するようになされている。この場合、バネアーム２３０は、扉２０の係止部２１による押圧力が解除されれば、コイルバネ３０１による付勢力が作用して、矢印ｂ方向への回動が可能となることにより、バネアーム２３０を回動させるために必要な係止部２１の開く方向（矢印ｎ方向（図２４））への戻り量は、係止部２１による受け部２３４への押圧力が解除される僅かなストロークがあれば足りる。すなわち、この僅かなストローク量の間に扉２０とパッキン１３とが密閉状態を維持していれば、プッシュラッチ装置２００が設けられた収納部１１の内部の密閉状態を維持することができる。従って、パッキンに当接した扉を押し込む際のストローク量を大きくとる必要がある他の構成に比べて、本実施の形態のプッシュラッチ装置２００は、パッキン１３に当接した扉２０を押し込む際のストローク量を小さくすることができ、その分、パッキン１３による反発力を小さくして、操作力を一段と小さくすることができる。
【０１０１】
また、本実施の形態のプッシュラッチ装置２００においては、弾性体であるコイルバネ３０１の弾性力を利用してバネアーム２３０を回動させるようにしたことにより、比較的簡単な構成でロック動作及びロック解除動作を実現することができ、また、耐久性を向上させることができる。
【０１０２】
なお、本実施の形態のプッシュラッチ装置２００は、上下方向に略対称の形状であり、また左右方向にも略対称の形状であるため、取付け位置の制約を受け難く、取り付け位置の選択の幅を広くすることができる。
【０１０３】
また、本実施の形態においては、弾性体としてコイルバネ３０１を用いる場合について述べたが、これに限られるものではなく、例えばゴム等、要は弾性力を有すれば種々の弾性体を用いることができる。
【０１０４】
（第３の実施の形態）
図３５〜図３８は、第３の実施の形態に係るプッシュラッチ装置４００を用いた扉の開閉構造を示す断面図である。このプッシュラッチ装置４００は、図２３及び図２４に示したプッシュラッチ装置２００に代えて、図１に示した収納部１１に取り付けられるものである。
【０１０５】
図３５〜図３８に示すように、第３の実施の形態に係るプッシュラッチ装置４００は、主に、ケース４１０、バネアーム４３０及び回動フック４６０によって構成されている。ケース４１０は、図２５において上述したケース２１０に対応するものであり、バネアーム４３０は、図２３及び図２４において上述したバネアーム２３０に対応するものであり、回動フック４６０は、図２３及び図２４において上述した回動フック２６０に対応するものである。
【０１０６】
バネアーム４３０は、ケース４１０の支持孔に回動可能に支持される回動軸（揺動軸）４３１を有し、この回動軸４３１を回動中心として、変位端４３０Ａ側が矢印ａで示す第１の方向又は第１の方向とは反対の第２の方向（矢印ｂ方向）へ揺動変位するようになっている。
【０１０７】
変位端４３０Ａにおいては、回動軸４３１から弾性を有するバネ部材４３３を介して押圧部４３２及び受け部４３４が設けられている。受け部４３４は、扉２０が閉じられた際に、当該扉２０に設けられた係止部２１によって押し込まれる部分であり、バネ部材４３３が撓むことによって、回動軸４３１に接近する方向（矢印ｃ方向）に押し込まれるようになっている。また、第１の押圧部４３２は、受け部４３４が扉２０の係止部２１によって押し込まれる際に、受け部４３４と一体となって回動軸４３１に接近する方向（矢印ｃ方向）に押し込まれる。なお、扉２０が開けられて係止部２１による押し込みが解除された場合、受け部４３４及び第１の押圧部４３２は、バネ部材４３３の弾性によって元の位置に戻るようになされている。
【０１０８】
回動フック４６０は、回動軸４６１によって回動可能に支持されたアーム部４６３と、このアーム部４６３の第２の端部に形成された曲折形状のフック部４６４と、第２の端部と回動軸４６１との間においてアーム部４６３に形成されたロック係合部４６５と、回動軸４６１を介して第２の端部（フック部４６４）とは反対側の端部である第１の端部に形成された当接部４６６とを有している。
【０１０９】
フック部４６４は、回動フック４６０が矢印ｈ方向に回動した際に、扉２０の係止部２１を係止するものである。
【０１１０】
ロック係合部４６５は、回動フック４６０の第２の端部（フック部４６４）と回動軸４６１との間において、腕部４６５Ｂを介して爪部４６５Ａがアーム部４６３に支持されている。爪部４６５Ａは、腕部４６５Ｂの弾性によって、揺動可能に支持されている。このロック係合部４６５は、ケース４１０のロック部２１８に係合されるもので、回動フック４６０が矢印ｈ方向に回動すると（図３５）、爪部４６５Ａの傾斜部４６５Ｃがロック部２１８と係合することにより、この状態において、回動フック４６０は矢印ｉ方向へ容易には回動しないようにロックされ、これに対して、回動フック４６０が強制的に矢印ｉ方向に回動すると（図３６）、傾斜部４６５Ｄがロック部２１８と係合することにより、この状態において、回動フック４６０は矢印ｈ方向へ容易には回動しないようにロックされる。
【０１１１】
図３９は、本実施の形態に係るケース４１０を示す平面図である。ケース４１０は、図２５において上述した第２の実施の形態におけるケース２１０と比べて、バネアーム４３０を回動可能に支持する支持孔４１３の形状が円形である点が異なり、それ以外の構成は、ケース２１０と同様の構成を有している。なお、図３９においては、図２５に示すケース２１０と同一部分には同一符号を付して、重複した説明は省略する。
【０１１２】
ケース４１０の支持孔４１３は、バネアーム４３０の回動軸４３１を回動可能に軸支する円形の孔部であり、バネアーム４３０（図３５〜図３８）は、この支持孔４１３に支持された回動軸４３１を回動中心として、矢印ａ方向又はこれとは反対の矢印ｂ方向へ回動（揺動）可能に軸支されている。
【０１１３】
プッシュラッチ装置４００では、このバネアーム４３０の回動軸４３１にＵ字形バネ（弾性体）４８０が挿入されている。すなわち、図４０は、バネアーム４３０の回動軸４３１の部分を示す部分的断面図であり、図４１は、そのバネアーム４３０の外観を示す斜視図である。図４０及び図４１に示すように、バネアーム４３０の回動軸４３１には、円柱形状の回動軸４３１と同一軸上に支持部４３５が形成されており、この支持部４３５の一部にＵ字形バネ４８０を挿入するための溝部４３６が形成されている。この溝部４３６は、Ｕ字形バネ４８０の第１及び第２の端部を構成する２つの直線状の足部４８１、４８２がはめ込まれる互いに対向する２つの直線状の側面部４３６Ａ、４３６Ｂと、Ｕ字形バネ４８０の低部４８３（図４１）を受ける山形部４３６Ｃとを有している。
【０１１４】
図４２に示すように、本実施の形態に用いられるＵ字形バネ４８０は、弾性を有する金属線材等によって構成されている。このＵ字形バネ４８０は、断面円形形状の線状のバネ材がＵ字状に曲折されたものであり、第１及び第２の端部を構成する足部４８１及び４８２が互いに対峙している。Ｕ字形バネ４８０は、その弾性によって、初期のＵ字形状を維持するようになされている。
【０１１５】
図４０に示すように、溝部４３６にＵ字形バネ４８０が挿入された状態においては、Ｕ字形バネ４８０の足部４８１が溝部４３６の側面部４３６Ａに当接した状態となり、また、Ｕ字形バネ４８０の足部４８２が溝部４３６の側面部４３６Ｂに当接した状態となる。  
【０１１６】
この状態において、例えば外部からの力によって、一方の足部４８１を矢印ｐ１方向へ開こうとすると、Ｕ字形バネ４８０の弾性力によって、当該Ｕ字形バネ４８０は現状の形状を維持しようとするため、他方の足部４８２も同様にｐ１方向へ追従しようとする。この場合、足部４８２は、溝部４３６の側面部４３６Ｂに当接しているため、Ｕ字形バネ４８０のｐ１方向への回動動作がバネアーム４３０の支持部４３５にも伝わり、バネアーム４３０も全体として、矢印ａ方向へ回動することになる。また、Ｕ字形バネ４８０の他方の足部４８２を矢印ｐ２方向へ開こうとすると、Ｕ字形バネ４８０の弾性力によって、当該Ｕ字形バネ４８０は現状の形状を維持しようとするため、一方の足部４８１も同様にｐ２方向へ追従しようとする。この場合、足部４８１は、溝部４３６の側面部４３６Ａに当接しているため、Ｕ字形バネ４８０のｐ２方向への回動動作がバネアーム３４０の支持部４３５にも伝わり、バネアーム４３０も全体として、矢印ｂ方向へ回動することになる。
【０１１７】
次に、Ｕ字形バネ４８０の足部４８１、４８２を矢印ｐ１、ｐ２方向へ開くための構成について説明する。図３５〜図３８に示すように、回動フック４６０には、第２の押圧部４６２が設けられている。この第２の押圧部４６２は、図９に示した第１の実施の形態に係る回動フック１６０の第２の押圧部１６２に対応するものである。この第２の押圧部４６２は、図４３に示すように、曲面で構成された側面部４６２Ａを有する突起部であり、この側面部４６２Ａが、Ｕ字形バネ４８０の足部４８１及び４８２の間に挿入されるようになされている（図３５〜図３８）。
【０１１８】
そして、回動フック４６０が回動軸４６１を中心にして矢印ｉ方向又はこれとは反対の矢印ｈ方向に回動することにより（図３５〜図３８）、第２の押圧部４６２が揺動動作し、この揺動動作によって、Ｕ字形バネ４８０の足部４８１が矢印ｐ１方向へ開かれ、また、足部４８２が矢印ｐ２方向へ開かれる。これにより、Ｕ字形バネ４８０の弾性力によって、バネアーム４３０が矢印ａ方向又はｂ方向に回動することになる。すなわち、回動フック４６０が矢印ｉ方向又はｈ方向へ回動することにより、バネアーム４３０を矢印ａ方向又はｂ方向へ回動させる力が発生することになる。
【０１１９】
次に、実際の扉２０の開閉動作に伴う、プッシュラッチ装置４００の動作について説明する。図３５は、扉２０が閉じられて、回動フック４６０のフック部４６４によって、扉２０の係止部２１がロックされている状態を示す。扉２０が閉じて係止部２１がロックされた状態においては、回動フック４６０のロック係合部４６５が、ケース４１０のロック部２１８にロックされた状態となっており、この状態でユーザが扉２０を押し込むと、係止部２１がバネアーム４３０の受け部４３４に当接し、さらに扉２０を閉じると、バネアーム４３０のバネ部材４３３が撓んで受け部４３４の位置が押し込み方向（矢印ｃ方向）に変位する。これにより、扉２０が収納部１１のパッキン１３（図１）に当接してこれを潰すように変形させる。
【０１２０】
この状態においては、係止部２１によってバネアーム４３０の受け部４３４が押され、これにより、バネアーム４３０の第１の押圧部４３２が回動フック４６０の第２の領域ＡＲ２を押圧する。この結果、回動フック４６０がそのフック部４６４を係止部２１から離間させる方向（矢印ｉ方向）に回動し、この回動によって、回動フック４６０のロック係合部４６５は、ケース４１０のロック部２１８の爪部２１８Ａ（図３９）を押すことにより、爪部２１８Ａを支持する腕部２１８Ｂは、その弾性によって撓み、この結果、ロック係合部４６５が爪部２１８Ａを乗り越えはじめる。
【０１２１】
さらに扉２０を押し込むと、図３６に示すように、回動フック４６０は、そのフック部４６４を完全に係止部２１から離間させた係止位置まで回動する。この状態においては、回動フック４６０の第２の押圧部４６２がＵ字形バネ４８０の足部４８２を矢印ｐ２方向へ拡げるように（弾性変形させるように）付勢する。また、回動フック４６０のロック係合部４６５は、ロック部２１８の爪部２１８Ａ（図３９）を完全に乗り越え、回動フック４６０はロックされる。上述したように、ロック部２１８の腕部２１８Ｂの弾性力は、Ｕ字形バネ４８０の弾性力よりも強く設定されていることにより、この状態でユーザが扉２０を押し込む操作を止めても、回動フック４６０は、ロック部２１８によってロックされた状態を維持し、Ｕ字形バネ４８０に生じた付勢力は、バネアーム２３０を矢印ａ方向に回動させるための力として作用する。ここで、ユーザが扉２０を押し込んだ後、押し込む操作を止めると、図２において上述した蝶番１４のコイルバネ１４Ａによる付勢力によって、扉２０は、開く方向に回動し、図３７に示すように、扉２０の開く操作は完了する。これにより、扉２０の係止部２１がバネアーム４３０の受け部４３４を押し込む力は完全に解除され、図３７に示すように、バネアーム４３０は容易に回動し得る状態となる。
【０１２２】
この状態においては、扉２０の係止部２１によるバネアーム４３０の受け部４３４への押圧は解除されていることにより、バネアーム４３０は、回動軸４３１を中心に回動自在となる。この場合、Ｕ字形バネ４８０に生じている付勢力により、バネアーム１３０は、矢印ａ方向に回動する。この回動により、バネアーム４３０の第１の押圧部４３２が回動フック４６０の第１の端部に形成された当接部４６６に当接した状態となる。この状態は、次に扉２０が閉じられる操作が行われることに備えた準備状態である。
【０１２３】
この状態において、再びユーザによって扉２０が押込まれると、図３８に示すように、扉２０の係止部２１によって、バネアーム４３０の受け部４３４が矢印ｃ方向に押込まれ、これにより、回動フック４６０の第１の領域ＡＲ１が押圧されることにより、回動フック４６０は、矢印ｈ方向に回動して、フック部４６４が扉２０の係止部２１をロックする。
【０１２４】
この回動動作によって、回動フック４６０のロック係合部４６５は、ケース４１０のロック部２１８を乗り越えてロックされる。この状態においては、回動フック４６０の第２の押圧部４６２がＵ字形バネ４８０の足部４８１を矢印ｐ１方向へ拡げるように付勢する。
【０１２５】
かくして、ユーザによるこの押込み操作が終了すると、扉２０を矢印ｃ方向に押込む力がなくなることにより、図２において上述した蝶番１４のコイルバネ１４Ａによる付勢力や収納部１１のパッキン１３（図１）の弾性力によって、扉２０は、フック部４６４にロックされている範囲内で開く方向に僅かに回動する。これにより、扉２０の係止部２１によるバネアーム４３０の受け部４３４への押圧が解除されることにより、バネアーム４３０は、回動軸４３１を中心に回動自在の状態となり、このときＵ字形バネ４８０に発生している付勢力（弾性力）により、バネアーム４３０は、矢印ｂ方向に回動し、次に扉２０が開かれる操作が行われることに備えた準備が完了する。
【０１２６】
以上説明したように、本実施の形態のプッシュラッチ装置４００においては、バネアーム４３０の受け部４３４を扉２０の係止部２１によって押し込んだ際に、バネアーム４３０に設けられたＵ字形バネ４８０が、回動フック４６０に設けられた第２の押圧部４６２によって拡げられる。これにより、バネアーム４３０を矢印ａ方向又はｂ方向へ回動させるための付勢力が発生する。そして、ユーザによる扉２０の押し込み操作が完了して、扉２０の係止部２１によるバネアーム４３０の受け部４３４の押し込み方向への押圧操作が終わると、上記Ｕ字形バネ４８０による付勢力によって、バネアーム４３０が矢印ａ方向又はｂ方向へ回動することにより、扉が閉じられたロック状態にあっては、次にロック解除操作が行われる際の準備をすることができ、また、扉が開かれたロック解除状態にあっては、次にロック操作が行われる際の準備をすることができる。このように、ロック状態からロック解除操作、又はロック解除状態からロック操作への移行を、Ｕ字形バネ４８０による付勢力を利用して行い、扉２０の押し込み操作が完了することに伴って、バネアーム４３０を、扉２０の押し込み方向（矢印ｃ方向）を横切る方向（矢印ａ方向又はｂ方向）に回動させるだけで行う構成としたことにより、ロック及びロック解除に要する押し込みストロークは、バネアーム４３０の第１の押圧部４３２が回動フック４６０の第１の領域ＡＲ１又は第２の領域ＡＲ２を押してフック部４６４を係止部２１に係止させた係止状態又は係止部２１から離間させた係止解除状態とし得るだけのストロークであればよい。
【０１２７】
また、扉２０が開かれたロック解除状態から扉２０を押し込んで回動フック４６０のフック部４６４が係止部２１をロックしたロック状態（扉閉状態）となった場合、係止部２１がフック部４６４に係止される範囲内で、扉２０が蝶番１４のコイルバネ１４Ａの付勢力によって開く方向に僅かに移動することにより、係止部２１がバネアーム４３０の受け部４３４を押す力を充分に解除することができ、バネアーム４３０を確実に回動させて次にロック解除操作（扉開操作）を行うための準備を完了するようになされている。この場合、バネアーム４３０は、扉２０の係止部２１による押圧力が解除されれば、Ｕ字形バネ４８０による付勢力が作用して、矢印ｂ方向への回動が可能となることにより、バネアーム４３０を回動させるために必要な係止部２１の開く方向への戻り量は、係止部２１による受け部４３４への押圧力が解除される僅かなストロークがあれば足りる。すなわち、この僅かなストローク量の間に扉２０とパッキン１３とが密閉状態を維持していれば、収納部１１の内部の密閉状態を維持することができる。従って、パッキンに当接した扉を押し込む際のストローク量を大きくとる必要がある他の構成に比べて、本実施の形態のプッシュラッチ装置４００は、パッキン１３に当接した扉２０を押し込む際のストローク量を小さくすることができ、その分、パッキン１３による反発力を小さくして、操作力を一段と小さくすることができる。
【０１２８】
また、本実施の形態のプッシュラッチ装置４００においては、弾性体であるＵ字バネ４８０の弾性力を利用してバネアーム４３０を回動させるようにしたことにより、比較的簡単な構成でロック動作及びロック解除動作を実現することができ、また、耐久性を向上させることができる。
【０１２９】
なお、本実施の形態のプッシュラッチ装置４００は、上下方向に略対称の形状であり、また左右方向にも略対称の形状であるため、取付け位置の制約を受け難く、取り付け位置の選択の幅を広くすることができる。
【０１３０】
また、本実施の形態のプッシュラッチ装置４００においては、図４２に示したように、Ｕ字形バネ４８０として断面円形の線材を用いる場合について述べたが、これに限られるものでなはく、例えば、図４４に示すように、平板状の板バネを曲折してなるＵ字形バネ４９０を用いるようにしてもよい。この場合においても、足部４９１及び４９２を、バネアーム４３０（図４０、図４１）の側面部４３６Ａ、４３６Ｂにはめ込むことにより、回動フック４６０の第２の押圧部４６２によって、足部４９１又は４９２が拡げられ、これにより、バネアーム４３０を回動（揺動）させる力を生じさせることが可能となる。
【０１３１】
また、本実施の形態のプッシュラッチ装置４００においては、図４０に示したように、Ｕ字形バネ４８０と溝部４３６との係合部分において、バネアーム４３０の支持部４３５に形成された溝部４３６の直線状（平面状）の側面部４３６Ａ、４３６ＢにＵ字形バネ４８０の直線状の足部４８１、４８２をはめ込み、側面部４３６Ａ、４３６Ｂと足部４８１、４８２とが互いに密着して接するように構成したが、Ｕ字形バネ４８０と溝部４３６との係合部分はこれに限られるものではなく、いずれか一方又は両方が曲線状のものであってもよく、要は、Ｕ字形バネ４８０の一方の足部４８１、４８２を開く方向（矢印ｐ１方向又はｐ２方向）に付勢した場合に、他方の足部４８２、４８１が溝部４３６を介してバネアーム４３０を矢印ａ方向又はｂ方向に回動させる構成であればよい。
【０１３２】
例えば、図４５に示すように、Ｕ字形バネ４８０として、足部４８１、４８２が曲線状に湾曲したものを用い、足部４８１、４８２と溝部４３６の側面部４３６Ａ、４３６Ｂとの間の一部が密着していない構成であってもよい。
【０１３３】
また、図４０に示したように、溝部４３６の形状として、Ｕ字形バネ４８０の低部４８３（図４１）を受ける三角形の山形部４３６Ｃを設ける場合について述べたが、山形部４３６Ｃの形状に変えて、図４６に示すように、Ｕ字形バネ４８０の底部４８３の曲率に合わせた円弧形状としてもよい。
【０１３４】
（他の実施の形態）
（１）  上述の実施の形態においては、扉２０を開く方向に付勢する付勢手段として、図２に示したように、蝶番１４にコイルバネ１４Ａを設ける場合について述べたが、これに限られるものではなく、例えば、図４７及び図４８に示すように、ケース１１０の一部に付勢手段５００を設けるようにしてもよい。この付勢手段５００としては、例えば、ケース１１０に形成された凹部５０３にコイルバネ５０１を設け、このコイルバネ５０１によって押圧部５０２を支持するようにしてもよい。この場合、図４７に示すように、扉２０が閉じられた状態においては、押圧部５０２が扉２０によって押されてコイルバネ５０１の付勢力に抗してケース内部に押し込まれた状態となる。この状態において、押圧部５０２は、コイルバネ５０１の付勢力によって扉２０を開く方向に押圧付勢する。これにより、扉２０が閉じる方向に操作されて回動フック１６０のフック部１６４によってロックされた状態となって、ユーザによる扉２０を閉じる操作が止められると、扉２０は、押圧部５０２によって開く方向に付勢される。これにより、扉２０の係止部２１によるバネアーム１３０の受け部１３４を押す押圧力が解除されて、バネアーム１３０は、内バネ１３５Ａによって生じた付勢力によって確実に回動し、次のロック解除操作に備えることができる。
【０１３５】
そして、このロック状態において、扉２０を再度押し込んでロックを解除すると、回動フック１６０のフック部１６４が扉２０の係止部２１から離間し、ロック状態が解除され、扉２０は、押圧部５０２によって開く方向に押される。
このように、扉２０を開く方向に付勢する付勢手段としては、種々の構成のものを適用することができる。
【０１３６】
また、図４７及び図４８は、上述の第１の実施の形態のプッシュラッチ装置１００の構成の変形例を示したものであるが、これに限られるものではなく、上述の第２の実施の形態におけるプッシュラッチ装置２００又は第３の実施の形態におけるプッシュラッチ装置４００においても、この付勢手段５００を用いた変形例を適用することができる。
【０１３７】
（２）  上述の実施の形態においては、扉２０を開く方向に付勢する付勢手段（コイルバネ１４Ａ又は付勢手段５００）を用いる場合について述べたが、これに限られるものではなく、パッキン１３の弾性を利用するようにしてもよい。
【０１３８】
（３）  上述の実施の形態においては、パッキン１３として、薄肉中空構造のものを用いる場合について述べたが、これに限られるものではなく、例えば、断面Ｃ字形状のもの等、要は変形が容易なものであれば、種々の構造及び材質のものを広く適用することができる。
【０１３９】
（４）  上述の実施の形態においては、収納部１１の天井板１１Ｂにプッシュラッチ装置１００、２００又は４００を設ける場合について述べたが、これに限られるものではなく、底板１１Ａ、側面板１１Ｄ、１１Ｅに設けるようにしてもよい。この場合、プッシュラッチ装置１００、２００又は４００の位置に応じて扉２０の係止部２１の位置を設定すればよい。
【０１４０】
（５）  上述の実施の形態においては、パッキン１３を用いた収納部１１に本発明を適用する場合について述べたが、これに限られるものではなく、パッキン１３を用いない家具等においても、その扉の開閉構造に適用することができる。この場合には、扉を押し込む際のストローク量を小さくすることができ、ソフトタッチ又はライトタッチで扉を開閉可能とすることができることにより、操作感を一段と向上させることができる。
【０１４１】
（６）  上述の実施の形態においては、パッキン１３を用いることにより収納部１１の内部に虫等が入り込まないようにした構成に本発明を適用する場合について述べたが、これに限られるものではなく、防湿、保冷等、種々の目的でパッキンを介在させる構成に広く適用することができる。
【０１４２】
（７）  上述の実施の形態においては、蝶番を介して開閉可能な扉の開閉構造として用いられるプッシュラッチ装置に本発明を適用する場合について述べたが、これに限られるものではなく、例えば、引出しの開閉構造に用いられるプッシュラッチ装置に本発明を適用することもできる。
【０１４３】
この場合、例えば、図４９に示すように、上下左右に配列された複数の引出し６０１を有する引出し収納装置６００において、各引出し６０１の正面板６０２の開閉用にプッシュラッチ装置４００を設ける。このプッシュラッチ装置４００は、図３５〜図４６について上述した第３の実施の形態に係るプッシュラッチ装置４００と同様の構成を有するものである。なお、図４９〜図５２においては、引出し６０１の開閉用にプッシュラッチ装置４００を設ける場合について説明するが、他のプッシュラッチ装置１００又は２００等を設けるようにしてもよい。
【０１４４】
図４９において、収納装置６００は、各引出し６０１を前後方向にスライド式に収納するためのキャビネットを構成する枠体６１０を有する。図５０に示すように、この枠体６１０においては、各引出し６０１を収納するためのスペースが引出し６０１の配列に応じて上下左右に配列されている。各スペースを横方向に仕切る側板６１１の各々には、引出し６０１をスライドさせるためのスライド機構部６１４が設けられており、このスライド機構部６１４に引出し６０１のガイドレール６０３が係合され、引出し６０１が前後方向にスライドし得るようになされている。
【０１４５】
また、各スペースを縦方向に仕切る天井板６１２には、プッシュラッチ装置４００が設けられており、引出し６０１の正面板６０２には、プッシュラッチ装置４００に対応する位置に係止部６２１が設けられている。図４９〜図５２に示す構成の場合、係止部６２１の係止片６２１Ａとしては、プッシュラッチ装置４００の回動フック４６０のフック部４６４が係止される側のみに突出している構成となっている。
【０１４６】
図５１は、引出し６０１が閉じられて、係止片６２１Ａがフック部４６４に係止されたロック状態を示し、図５２は、ロックが解除された状態（引出し６０１が開けられた状態）を示す。
【０１４７】
ロック動作及びロック解除動作は、図３５〜図４６に示した第３の実施の形態におけるプッシュラッチ装置４００の動作と同様である。ここで、図４９〜図５２に示すプッシュラッチ装置４００においては、図４６及び図４７について上述した付勢手段５００がケース４１０設けられている。この付勢手段５００は、コイルバネ５０１によって押圧部５０２を支持した構成を有している。引出し６０１が閉じられた場合、この付勢手段５００によって、当該引出し６０１は開く方向に付勢された状態となる。
【０１４８】
すなわち、図５１に示すように、引出し６０１が閉じられた状態においては、押圧部５０２が引出し６０１の正面板６０２によって押されてコイルバネ５０１の付勢力に抗してケース内部に押し込まれた状態となる。この状態において、押圧部５０２は、コイルバネ５０１の付勢力によって引出し６０１を開く方向に押圧付勢する。これにより、引出し６０１が閉じる方向に操作されて回動フック４６０のフック部４６４によってロックされた状態となって、ユーザによる引出し６０１を閉じる操作が止められると、引出し６０１は、押圧部５０２によって開く方向に付勢される。これにより、引出し６０２の係止部６２１によるバネアーム４３０の受け部４３４を押す押圧力が解除されて、バネアーム４３０は、Ｕ字形バネ４８０によって生じた付勢力によって確実に回動し、次のロック解除操作に備えることができる。
【０１４９】
そして、このロック状態において、引出し６０１を再度押し込んでロックを解除すると、回動フック４６０のフック部４６４が引出し６０１の係止部６２１から離間し、ロック状態が解除され、引出し６０１は、押圧部５０２によって開く方向に押される。この場合、引出し６０１は、付勢手段５００のコイルバネ５０１による押圧力及び押圧部５０２のストロークによって大きく開かれる。この場合、引出し収納装置６００においては、各引出し６０１に取手又はハンドルといった引出し６０１を引き出すためのパーツが設けられていないが、引出し６０１を押込む操作（閉じる方向への操作）によって回動フック４６０によるロックが解除されると、引出し６０１は、付勢手段５００によって大きく開かれ、ユーザは、当該開かれた引出し６０１の正面板６０２に容易に指をかけてこれを引き出すことができる。
【０１５０】
なお、図４９〜図５２の構成においては、引出し６０１の正面板６０２とキャビネット６１１との間にパッキンを設けない構成について示しているが、これに限られるものではなく、図１６〜図２４に示したパッキン１３を併設するようにしてもよい。このようにすれば、パッキン１３によって引出し内部を密閉することができると共に、付勢手段５００により引出し６０１を大きく開くことができる。
【０１５１】
また、図４９〜図５２においては、引出し収納装置６００に本発明のプッシュラッチ装置４００を設ける場合について述べたが、プッシュラッチ装置４００の取付け対象はこれに限られるものではなく、要は引出しの開閉構造であれば、種々のものを取付け対象とすることができる。
【０１５２】
（プッシュラッチ装置及び開閉構造の概要）
本発明の実施の形態におけるプッシュラッチ構造は、棒状体（アーム部１６３、２６３、４６４）と、前記棒状体（アーム部１６３、２６３、４６３）の第２の端部に設けられた曲折形状のフック部１６４、２６４、４６４とを有し、前記棒状体（アーム部１６３、２６３、４６３）の前記第２の端部と前記第２の端部に対して反対側の第１の端部との間に設けられた回動軸１６１、２６１、４６１を回動中心として回動可能に支持された回動フック１６０、２６０、４６０と、第１の揺動位置及び第２の揺動位置の間を変位端１３０Ａ、２３０Ａ、４３０Ａが揺動変位可能に支持されたバネ部材１３３、２３３、４３３と、前記バネ部材１３３、２３３、４３３の変位端側に設けられた第１の押圧部１３２、２３２、４３２とを有し、前記変位端１３０Ａ、２３０Ａ、４３０Ａが前記第１の揺動位置へ変位した状態で前記棒状体（アーム部１６３、２６３、４６３）の前記回動軸１６１、２６１、４６１と前記第１の端部との間の第１の領域ＡＲ１を前記第１の押圧部１３２、２３２、４３２によって押圧することにより、前記回動フック１６０、２６０、４６０を第１の回動方向（矢印ｈ方向）へ回動させると共に、前記変位端１３０Ａ、２３０Ａ、４３０Ａが前記第２の揺動位置へ変位した状態で前記棒状体（アーム部１６３、２６３、４６３）の前記回動軸１６１、２６１、４６１と前記第２の端部との間の第２の領域ＡＲ２を前記第１の押圧部１３２、２３２、４３２によって押圧することにより、前記回動フック１６０、２６０、４６０を前記第１の回動方向（矢印ｈ方向）とは反対の第２の回動方向（矢印ｉ方向）へ回動させるバネアーム１３０、２３０、４３０と、前記回動フック１６０、２６０、４６０が前記第１の回動方向（矢印ｈ方向）へ所定量回動した第１の状態で前記回動フック１６０、２６０、４６０を所定の保持力をもってロックすると共に、前記回動フック１６０、２６０、４６０が前記第２の回動方向（矢印ｉ方向）へ所定量回動した第２の状態で前記回動フック１６０、２６０、４６０を所定の保持力をもってロックするロック部１１８、２１８と、前記バネアーム１３０、２３０、４３０の前記第１の押圧部１３２、２３２、４３２による前記第１の領域ＡＲ１に対する押圧の結果に応じて、前記バネアーム１３０、２３０、４３０の前記第１の押圧部１３２、２３２、４３２による前記回動フック１６０、２６０、４６０の押圧位置が、前記第１の領域ＡＲ１から前記第２の領域ＡＲ２へ切り替わるように前記バネアーム１３０、２３０、４３０を付勢し、前記バネアーム１３０、２３０、４３０の前記第１の押圧部１３２、２３２、４３２による前記第２の領域ＡＲ２に対する押圧の結果に応じて、前記バネアーム１３０、２３０、４３０の前記第１の押圧部１３２、２３２、４３２による前記回動フック１６０、２６０、４６０の押圧位置が、前記第２の領域ＡＲ２から前記第１の領域ＡＲ１へ切り替わるように前記バネアーム１３０、２３０、４３０を付勢する付勢手段（内バネ１３５Ａ、１３５Ｂ、コイルバネ３０１、Ｕ字形バネ４８０）と、を備え、前記回動フック１６０、２６０、４６０の回動位置に応じて、前記フック部１６４、２６４、４６４により係止対象（係止部２１）を係止又は係止解除することを特徴とする。
【０１５３】
この構成によれば、付勢手段（内バネ１３５Ａ、１３５Ｂ、コイルバネ３０１、Ｕ字形バネ４８０）の付勢力によって第１の押圧部１３２、２３２、４３２を第１の揺動位置及び第２の揺動位置の間で変位させ、係止対象（係止部２１）を係止状態又は係止解除状態とすることにより、押し込み操作のストローク量を小さくし操作性を向上させることができる。
【０１５４】
また、本実施の形態のプッシュラッチ構造は、上記構成において、前記ロック部１１８、２１８による前記回動フック１６０、２６０、４６０の保持力は、前記付勢手段（内バネ１３５Ａ、１３５Ｂ、コイルバネ３０１、Ｕ字形バネ４８０）による付勢力よりも大きいことを特徴とする。
【０１５５】
この構成によれば、回動フック１６０、２６０、４６０の回動位置をロック部１１８、２１８で保持したまま、第１の押圧部１３２、２３２、４３２による押圧位置を回動フック１６０、２６０、４６０の第１の領域ＡＲ１及び第２の領域ＡＲ２の間で切り替えることができる。
【０１５６】
また、本実施の形態のプッシュラッチ構造は、上記構成において、前記バネ部材１３３、２３３、４３３は、前記棒状体（アーム部１６３、２６３、４６３）の回動軸１６１、２６１、４６１とは異なる第２の回動軸１３１、２３１、４３１を回動中心として第１の回動方向（矢印ａ方向）又はこれとは反対の第２の回動方向（矢印ｂ方向）へ回動可能に支持され、前記バネアーム１３０、２３０、４３０は、前記変位端１３０Ａ、２３０Ａ、４３０Ａが前記第１の回動方向（矢印ａ方向）へ所定量回動した状態で前記棒状体（アーム部１６３、２６３、４６３）の前記第１の領域ＡＲ１を前記第１の押圧部１３２、２３２、４３２によって押圧することにより、前記回動フック１６０、２６０、４６０を第１の回動方向（矢印ｈ方向）へ回動させると共に、前記変位端１３０Ａ、２３０Ａ、４３０Ａが前記第２の回動方向（矢印ｂ方向）へ所定量回動した状態で前記棒状体（アーム部１６３、２６３、４６３）の前記第２の領域ＡＲ２を前記第１の押圧部１３２、２３２、３４２によって押圧することにより、前記回動フック１６０、２６０、４６０を前記第１の回動方向（矢印ｈ方向）とは反対の第２の回動方向（矢印ｉ方向）へ回動させることを特徴とする。
【０１５７】
この構成によれば、バネアーム１３０、２３０、４３０の回動動作によって、回動フック１６０、２６０、４６０に対する第１の押圧部１３２、２３２、４３２の押圧位置を、第１の領域ＡＲ１及び第２の領域ＡＲ２の間で切り替えることができる。
【０１５８】
また、本実施の形態のプッシュラッチ構造は、上記構成において、前記付勢手段（内バネ１３５Ａ、１３５Ｂ）は、前記回動フック１６０に設けられた第２の押圧部１６２と、前記バネアーム１３０に設けられ、前記回動フック１６０が前記第１の状態にあるとき、前記回動フック１６０の前記第２の押圧部１６２に押圧されて、前記バネアーム１３０の前記第１の押圧部１３２による押圧位置を前記第１の領域ＡＲ１から前記第２の領域ＡＲ２へ切り替えるように付勢力を発生する第１の内バネ１３５Ａと、前記バネアーム１３０に設けられ、前記回動フック１６０が前記第２の状態にあるとき、前記回動フック１６０の前記第２の押圧部１６２に押圧されて、前記バネアーム１３０の前記第１の押圧部１３２による押圧位置を前記第２の領域ＡＲ２から前記第１の領域ＡＲ１へ切り替えるように付勢力を発生する第２の内バネ１３５Ｂと、を備えることを特徴とする。
【０１５９】
この構成によれば、バネアーム１３０に設けられた第１の内バネ１３５Ａ及び第２の内バネ１３５Ｂによって付勢力を発生させることにより、部品点数を削減した一段と簡易な構成のプッシュラッチ構造を実現できる。
【０１６０】
また、本実施の形態のプッシュラッチ構造は、上記構成において、前記付勢手段は、バネアーム２３０及び回動フック２６０に支持され、前記回動フック２６０が前記第１の状態にあるとき、前記バネアーム２３０の前記第１の押圧部２３２による押圧位置を前記第１の領域ＡＲ１から前記第２の領域ＡＲ２へ切り替えるように第１の付勢力を発生し、前記回動フック２６０が前記第２の状態にあるとき、前記バネアーム２３０の前記第１の押圧部２３２による押圧位置を前記第２の領域ＡＲ２から前記第１の領域ＡＲ１へ切り替えるように第２の付勢力を発生する弾性体であることを特徴とする。
【０１６１】
この構成によれば、バネアーム２３０と回動フック２６０とによって支持された弾性体（コイルバネ３０１）による付勢力によって、バネアーム２３０を回動させることにより、比較的簡単な構成でロック動作及びロック解除動作を実現することができ、また、耐久性を向上させることができる。
【０１６２】
また本実施の形態のプッシュラッチ構造は、上記構成において、前記弾性体は、コイルバネ３０１であり、前記バネアーム２３０及び前記回動フック２６０の回動位置に応じて、前記第１又は第２の付勢力を発生することを特徴とする。
【０１６３】
この構成によれば、バネアーム２３０及び回動フック２６０の回動動作によって、コイルバネ３０１に付勢力を発生させることにより、比較的簡単な構成でロック動作及びロック解除動作を実現することができ、また、耐久性を向上させることができる。
【０１６４】
また本実施の形態のプッシュラッチ構造は、上記構成において、前記付勢手段は、バネアーム４３０に支持される弾性体（Ｕ字形バネ４８０）と、回動フック４６０に設けられ、前記回動フック４６０の回動動作に応じて、前記弾性体（Ｕ字形バネ４８０）を弾性変形させる第２の押圧部４６２と、を備え、前記回動フック４６０が前記第１の状態にあるとき、前記第２の押圧部４６２による前記弾性体（Ｕ字形バネ４８０）の弾性変形により、前記バネアーム４３０の前記第１の押圧部４３２による押圧位置が前記第１の領域ＡＲ１から前記第２の領域ＡＲ２へ切り替わるように第１の付勢力を発生し、前記回動フック４６０が前記第２の状態にあるとき、前記第２の押圧部４６２による前記弾性体（Ｕ字形バネ４８０）の弾性変形により、前記バネアーム４３０の前記第１の押圧部４３２による押圧位置が前記第２の領域ＡＲ２から前記第１の領域ＡＲ１へ切り替わるように第２の付勢力を発生することである。
【０１６５】
この構成によれば、バネアーム４３０に支持された弾性体（Ｕ字形バネ４８０）による付勢力（弾性力）によって、バネアーム４３０を回動させることにより、比較的簡単な構成でロック動作及びロック解除動作を実現することができ、また、耐久性を向上させることができる。
【０１６６】
また本実施の形態に係のプッシュラッチ構造は、上記構成において、前記弾性体は、第1及び第２の端部（足部４８１、４８２）が対峙するＵ字形バネ４８０であり、前記バネアーム４３０は、当該バネアーム４３０が揺動動作する際の揺動軸（回動軸４３１）において前記バネアーム４３０と一体に回動する前記Ｕ字形バネ４８０の支持部４３５を備え、前記Ｕ字形バネ４８０の内側に前記支持部４３５がはめ込まれ、前記Ｕ字形バネ４８０の前記第１及び第２の端部（足部４８１、４８２）の間に前記第２の押圧部４６２が介挿され、前記回動フック４６０の回動動作に伴って、前記第２の押圧部４６２が前記Ｕ字形バネ４８０の前記第１及び第２の端部（足部４８１、４８２）のうちのいずれかを互いの離間方向に変位させ、当該変位により発生する前記Ｕ字形バネ４８０の弾性力によって、前記支持部４３５を介して前記バネアーム４３０を揺動させることである。
【０１６７】
この構成によれば、回動フック４６０の回動動作によって、Ｕ字形バネ４８０に付勢力（弾性力）を発生させることにより、比較的簡単な構成でロック動作及びロック解除動作を実現することができ、また、耐久性を向上させることができる。
【０１６８】
本実施の形態に係る扉の開閉構造は、収納部１１に対して扉２０を開閉可能に支持する扉の開閉構造であって、前記収納部１１に設けられたプッシュラッチ装置１００、２００と、前記扉２０に設けられ、前記プッシュラッチ装置１００、２００に係止される係止部２１と、前記収納部１１の開口端部と前記扉２０との間に介挿されるパッキン１３と、を有し、前記プッシュラッチ装置１００、２００は、棒状体（アーム部１６３、２６３）と、前記棒状体の第２の端部に設けられた曲折形状のフック部１６４、２６４とを有し、前記棒状体（アーム部１６３、２６３）の前記第２の端部と前記第２の端部に対して反対側の第１の端部との間に設けられた回動軸１６１、２６１を回動中心として回動可能に支持された回動フック１６０、２６０と、第１の揺動位置及び第２の揺動位置の間を変位端１３０Ａ、２３０Ａが揺動変位可能に支持されたバネ部材１３３、２３３と、前記バネ部材１３３、２３３の前記変位端側に設けられた押圧部１３２、２３２と、前記変位端側に設けられ前記扉２０の前記係止部２１に押圧される受け部１３４、２３４とを有し、前記変位端１３０Ａ、２３０Ａが前記第１の揺動位置へ変位した状態で、前記係止部２１の押圧により前記棒状体（アーム部１６３、２６３）の前記回動軸１６１、２６１と前記第１の端部との間の第１の領域ＡＲ１を前記押圧部１３２、２３２によって押圧し、前記回動フック１６０、２６０を第１の回動方向（矢印ｈ方向）へ回動させると共に、前記変位端１３０Ａ、２３０Ａが前記第２の揺動位置へ変位した状態で、前記係止部２１の押圧により前記棒状体（アーム部１６３、２６３）の前記回動軸１６１、２６１と前記第２の端部との間の第２の領域ＡＲ２を前記押圧部１３２、２３２によって押圧し、前記回動フック１６０、２６０を前記第１の回動方向（矢印ｈ方向）とは反対の第２の回動方向（矢印ｉ方向）へ回動させるバネアーム１３０、２３０と、前記回動フック１６０、２６０が前記第１の回動方向（矢印ｈ方向）へ所定量回動した第１の状態で前記回動フック１６０、２６０を所定の保持力をもってロックすると共に、前記回動フック１６０、２６０が前記第２の回動方向（矢印ｉ方向）へ所定量回動した第２の状態で前記回動フック１６０、２６０を所定の保持力をもってロックするロック部１１８、２１８と、前記バネアーム１３０、２３０の前記押圧部１３２、２３２による前記第１の領域ＡＲ１に対する押圧の結果に応じて、前記バネアーム１３０、２３０の前記押圧部１３２、２３２による前記回動フック１６０、２６０の押圧位置が、前記第１の領域ＡＲ１から前記第２の領域ＡＲ２へ切り替わるように前記バネアーム１３０、２３０を付勢し、前記バネアーム１３０、２３０の前記押圧部１３２、２３２による前記第２の領域ＡＲ２に対する押圧の結果に応じて、前記バネアーム１３０、２３０の前記押圧部１３２、２３２による前記回動フックの押圧位置が、前記第２の領域ＡＲ２から前記第１の領域ＡＲ１へ切り替わるように前記バネアーム１３０、２３０を付勢する第１の付勢手段（内バネ１３５Ａ、１３５Ｂ、コイルバネ３０１）と、を備え、前記回動フック１６０、２６０の回動位置に応じて、前記フック部１６４、２６４により前記扉２０の係止部２１を係止又は係止解除することを特徴とする。
【０１６９】
この構成によれば、第１の付勢手段（内バネ１３５Ａ、１３５Ｂ、コイルバネ３０１）の付勢力によって押圧部１３２、２３２を第１の揺動位置及び第２の揺動位置の間で揺動変位させ、扉２０を係止状態又は係止解除状態とすることにより、プッシュラッチ装置１００、２００に対する扉２０の押し込み操作のストローク量を一段と小さくし操作性を向上させることができる。
【０１７０】
本実施の形態に係る扉の開閉構造は、前記構成において、前記扉２０を開放する方向に付勢する第２の付勢手段（コイルバネ１４Ａ、付勢手段５００）を備えることを特徴とする。
【０１７１】
この構成によれば、プッシュラッチ装置１００、２００による扉２０の係止状態が解除された場合に、第２の付勢手段（コイルバネ１４Ａ、付勢手段５００）によって扉２０が自動的に一定量だけ開かれることにより、扉２０を開く操作の操作性を向上させることができる。また、扉２０を係止状態とした際に、第２の付勢手段（コイルバネ１４Ａ、付勢手段５００）によって、回動フック１６０、２６０によって係止される範囲内で扉２０が開く方向に戻されることにより、次の操作（ロック状態からロック解除操作、又はロック解除状態からロック操作）へ移行するためのバネアーム１３０、２３０の回動動作を確実に行わせることができる。
【０１７２】
本実施の形態に係る扉の開閉構造に用いられるプッシュラッチ装置１００、２００は、収納部１１に対して扉２０を開閉可能に支持する扉２０の開閉構造に用いられるプッシュラッチ装置１００、２００であって、棒状体（アーム部１６３、２６３）と、前記棒状体の第２の端部に設けられた曲折形状のフック部１６４、２６４とを有し、前記棒状体（アーム部１６３、２６３）の前記第２の端部と前記第２の端部に対して反対側の第１の端部との間に設けられた回動軸１６１、２６１を回動中心として回動可能に支持された回動フック１６０、２６０と、第１の揺動位置及び第２の揺動位置の間を変位端１３０Ａ、２３０Ａが揺動変位可能に支持されたバネ部材１３３、２３３と、前記バネ部材１３３、２３３の前記変位端側に設けられた押圧部１３２、２３２と、前記変位端側に設けられ前記扉２０に設けられた係止部２１に押圧される受け部１３４、２３４とを有し、前記変位端１３０Ａ、２３０Ａが前記第１の揺動位置へ変位した状態で、前記係止部２１の押圧により前記棒状体（回動フック１６０、２６０）の前記回動軸１６１、２６１と前記第１の端部との間の第１の領域ＡＲ１を前記押圧部１３２、２３２によって押圧し、前記回動フック１６０、２６０を第１の回動方向（矢印ｈ方向）へ回動させると共に、前記変位端１３０Ａ、２３０Ａが前記第２の揺動位置へ変位した状態で、前記係止部２１の押圧により前記棒状体（アーム部１６３、２６３）の前記回動軸１６１、２６１と前記第２の端部との間の第２の領域ＡＲ２を前記押圧部１３２、２３２によって押圧し、前記回動フック１６０、２６０を前記第１の回動方向（矢印ｈ方向）とは反対の第２の回動方向（矢印ｉ方向）へ回動させるバネアーム１３０、２３０と、前記回動フック１６０、２６０が前記第１の回動方向（矢印ｈ方向）へ所定量回動した第１の状態で前記回動フック１６０、２６０を所定の保持力をもってロックすると共に、前記回動フック１６０、２６０が前記第２の回動方向（矢印ｉ方向）へ所定量回動した第２の状態で前記回動フック１６０、２６０を所定の保持力をもってロックするロック部１１８、２１８と、前記バネアーム１３０、２３０の前記押圧部１３２、２３２による前記第１の領域ＡＲ１に対する押圧の結果に応じて、前記バネアーム１３０、２３０の前記押圧部１３２、２３２による前記回動フック１６０、２６０の押圧位置が、前記第１の領域ＡＲ１から前記第２の領域ＡＲ２へ切り替わるように前記バネアーム１３０、２３０を付勢し、前記バネアーム１３０、２３０の前記押圧部１３２、２３２による前記第２の領域ＡＲ２に対する押圧の結果に応じて、前記バネアーム１３０、２３０の前記押圧部１３２、２３２による前記回動フック１６０、２６０の押圧位置が、前記第２の領域ＡＲ２から前記第１の領域ＡＲ１へ切り替わるように前記バネアーム１３０、２３０を付勢する付勢手段（内バネ１３５Ａ、１３５Ｂ、コイルバネ３０１）と、を備え、前記回動フック１６０、２６０の回動位置に応じて、前記フック部１６４、２６４により前記扉２０の係止部２１を係止又は係止解除することを特徴とする。
【０１７３】
この構成によれば、付勢手段（内バネ１３５Ａ、１３５Ｂ、コイルバネ３０１）の付勢力によって押圧部１３２、２３２を第１の揺動位置及び第２の揺動位置の間で変位させ、扉２０を係止状態又は係止解除状態とすることにより、扉２０の開閉時における押し込みストローク量を一段と小さくし操作性を向上させることができる。
【符号の説明】
【０１７４】
１１  収納部
１１Ａ  底板
１１Ｂ  天井板
１１Ｃ、１１Ｄ  側面板
１３  パッキン
１４  蝶番
１４Ａ  コイルバネ
２０  扉
２１、６２１  係止部
１００、２００、４００  プッシュラッチ装置
１１０、２１０、４１０  ケース
１１８、２１８  ロック部
１３０、２３０、４３０  バネアーム
１３１、１６１、２３１、２６１、４３１、４６１  回動軸
１３２、１６２、２３２、４３２、４６２  押圧部
１３３、２３３、４３３  バネ部材
１３５Ａ、１３５Ｂ  内バネ
１３６Ａ、１３６Ｂ、２６６、４６６  当接部
１６０、２６０、４６０  回動フック
１６３、２６３、４６３  アーム部
１６４、２６４、４６４  フック部
６００  引出し収納装置
６０１  引出し
６０２  正面板
６０３  ガイドレール
６１０  枠体
６１１  側板
６１２  天井板
【図１】
2011080303.tif 000003
【図２】
2011080303.tif 000004
【図３】
2011080303.tif 000005
【図４】
2011080303.tif 000006
【図５】
2011080303.tif 000007
【図６】
2011080303.tif 000008
【図７】
2011080303.tif 000009
【図８】
2011080303.tif 000010
【図９】
2011080303.tif 000011
【図１０】
2011080303.tif 000012
【図１１】
2011080303.tif 000013
【図１２】
2011080303.tif 000014
【図１３】
2011080303.tif 000015
【図１４】
2011080303.tif 000016
【図１５】
2011080303.tif 000017
【図１６】
2011080303.tif 000018
【図１７】
2011080303.tif 000019
【図１８】
2011080303.tif 000020
【図１９】
2011080303.tif 000021
【図２０】
2011080303.tif 000022
【図２１】
2011080303.tif 000023
【図２２】
2011080303.tif 000024
【図２３】
2011080303.tif 000025
【図２４】
2011080303.tif 000026
【図２５】
2011080303.tif 000027
【図２６】
2011080303.tif 000028
【図２７】
2011080303.tif 000029
【図２８】
2011080303.tif 000030
【図２９】
2011080303.tif 000031
【図３０】
2011080303.tif 000032
【図３１】
2011080303.tif 000033
【図３２】
2011080303.tif 000034
【図３３】
2011080303.tif 000035
【図３４】
2011080303.tif 000036
【図３５】
2011080303.tif 000037
【図３６】
2011080303.tif 000038
【図３７】
2011080303.tif 000039
【図３８】
2011080303.tif 000040
【図３９】
2011080303.tif 000041
【図４０】
2011080303.tif 000042
【図４１】
2011080303.tif 000043
【図４２】
2011080303.tif 000044
【図４３】
2011080303.tif 000045
【図４４】
2011080303.tif 000046
【図４５】
2011080303.tif 000047
【図４６】
2011080303.tif 000048
【図４７】
2011080303.tif 000049
【図４８】
2011080303.tif 000050
【図４９】
2011080303.tif 000051
【図５０】
2011080303.tif 000052
【図５１】
2011080303.tif 000053
【図５２】
2011080303.tif 000054